(57)【要約】      （修正有）【課題】応用性に優れる画像表示体を提供する。【解決手段】画像表示体１は、ホログラム記録層１ａを備える。ホログラム記録層１ａは、第１の主面Ｐ１および第２の主面Ｐ２を有する。ホログラム記録層１ａには、少なくとも第１の画像Ｄ１および第２の画像Ｄ２が記録される。第１の主面Ｐ１の側からの照明のもとにおいて、第１の画像Ｄ１が第１の主面Ｐ１の側に再生される。第２の主面Ｐ２の側から照明されたときに、第１の画像Ｄ１の再生される領域との重なりを有する領域において、第２の画像Ｄ２が第１の主面Ｐ１の側に再生される。【選択図】図１
2013164524.tif 000002
【特許請求の範囲】
【請求項１】
第１の主面および第２の主面を有するとともに、少なくとも第１の画像および第２の画像の記録されたホログラム記録層を備え、
前記第１の主面の側からの照明のもとにおいて、前記第１の画像が前記第１の主面の側に再生され、
前記第２の主面の側から照明されたときに、前記第１の画像の再生される領域との重なりを有する領域において、前記第２の画像が前記第１の主面の側に再生される画像表示体。
【請求項２】
前記第１の画像が、反射型の体積ホログラムとして記録された画像であり、
前記第２の画像が、透過型の体積ホログラムとして記録された画像である請求項１に記載の画像表示体。
【請求項３】
前記第１の画像および前記第２の画像の少なくとも一方が、第１の識別情報に関する画像である請求項１に記載の画像表示体。
【請求項４】
前記第１の画像の再生波長と、前記第２の画像の再生波長とが、相異なる請求項１に記載の画像表示体。
【請求項５】
前記第１の画像および前記第２の画像の少なくとも一方が、視点の移動方向に連続した視差をもって再生される視差画像である請求項１に記載の画像表示体。
【請求項６】
前記第１の画像が、前記第１の主面にたてた法線に対して第１の方向に沿って視点を動かしたときに、前記第１の方向に視差をもって再生され、
前記第２の画像が、前記第１の主面にたてた法線に対して第２の方向に沿って視点を動かしたときに、前記第２の方向に視差をもって再生される請求項５に記載の画像表示体。
【請求項７】
前記ホログラム記録層に第２の識別情報がさらに記録された請求項３に記載の画像表示体。
【請求項８】
前記ホログラム記録層が、前記第１の画像の記録された第１のホログラム記録層および前記第２の画像の記録された第２のホログラム記録層を含む請求項１に記載の画像表示体。
【請求項９】
ルーバーをさらに備え、
前記ルーバーが、前記第２の主面の側に配置される請求項１に記載の画像表示体。
【請求項１０】
第１の主面および第２の主面を有するとともに、少なくとも第１の画像および第２の画像の記録されたホログラム記録層と、
前記ホログラム記録層との界面を有するとともに、側面を備える光学ブロックと
を備え、
前記第１の主面の側からの照明のもとにおいて、前記第１の画像が前記第１の主面の側に再生され、
前記側面から照明されたときに、前記第１の画像の再生される領域との重なりを有する領域において、前記第２の画像が前記第１の主面の側に再生される画像表示体。
【請求項１１】
被覆材をさらに備え、
前記ホログラム記録層の少なくとも一部が、被覆材により被覆される請求項１に記載の画像表示体。
【請求項１２】
第１の主面および第２の主面を有するとともに、少なくとも第１の画像および第２の画像の記録されたホログラム記録層の配置された窓部と、
遮光部と
を備え、
前記第１の主面の側からの照明のもとにおいて、前記第１の画像が前記第１の主面の側に再生され、
前記窓部が前記第２の主面の側から照明されたときに、前記第１の画像の再生される領域との重なりを有する領域において、前記第２の画像が前記第１の主面の側に再生される梱包材料。
【請求項１３】
第１の主面および第２の主面を有するとともに、少なくとも第１の画像および第２の画像の記録されたホログラム記録層の配置された窓部を備える筺体と、
前記筺体の内部に配置され、前記第２の主面に対して、あらかじめ定められた角度方向から前記ホログラム記録層を照明する照明源と
を備え、
前記第１の主面の側からの照明のもとにおいて、前記第１の画像が前記第１の主面の側に再生され、
前記ホログラム記録層が前記第２の主面の側から照明されたときに、前記第１の画像の再生される領域との重なりを有する領域において、前記第２の画像が前記第１の主面の側に再生される画像表示ユニット。
【請求項１４】
制御部をさらに備え、
前記照明源の点灯および消灯の少なくともいずれかが、前記制御部に対する、あらかじめ定められた指令信号の入力により実行される請求項１３に記載の画像表示ユニット。
【請求項１５】
前記筺体が、可動部をさらに備え、
前記照明源の点灯および消灯の少なくともいずれかが、前記可動部の動作と関連づけられる請求項１３に記載の画像表示ユニット。
【請求項１６】
光源を備える表示部をさらに備え、
前記照明源から出射される光が、前記光源から導光される請求項１３に記載の画像表示ユニット。
【請求項１７】
前記照明源が、発光ダイオードである請求項１３に記載の画像表示ユニット。
【発明の詳細な説明】
【技術分野】
【０００１】
本開示は、画像表示体および梱包材料ならびに画像表示ユニットに関する。本開示は、特に、ホログラフィックに記録された２以上の画像を含み、記録画像のうちの一が選択的に再生される画像表示体および梱包材料ならびに画像表示ユニットに関する。
【背景技術】
【０００２】
立体表示が可能なホログラムを備えるクレジットカード、身分証明書などが知られている。また、商品の包装などにホログラムシールが貼りつけられることも多い。このように、ホログラムは、ホログラムと組み合わされた物品またはホログラムが貼りつけられた物品に関する真正性の証明や、真贋判定のために使用される。
【０００３】
ところで、ホログラムを備える画像表示体の応用は、例えば、物品の真正性の証明や真贋判定、ホログラムから再生される画像の観賞などにとどまり、したがって、ホログラムを備える画像表示体は、応用性に乏しかった。
【０００４】
なお、下記の特許文献１には、表側から観察したときに観察される画像と、裏側から観察したときに観察される画像とが、相異なる画像とされた窓部を備える多層体が開示されている。また、下記の特許文献２には、反射型ホログラムと、該反射型ホログラムとは鏡像関係にある透過型ホログラムとが同時に再生されるホログラム記録フィルムが開示されている。
【先行技術文献】
【特許文献】
【０００５】
【特許文献１】特表２０１０−５２９９１３号公報
【特許文献２】特開２０１０−０５８０２７号公報
【発明の概要】
【発明が解決しようとする課題】
【０００６】
応用性に優れる画像表示体の提供が望まれている。
【課題を解決するための手段】
【０００７】
本開示の第１の好ましい実施態様は、
画像表示体が、ホログラム記録層を備える。
ホログラム記録層は、第１の主面および第２の主面を有する。
ホログラム記録層には、少なくとも第１の画像および第２の画像が記録される。
第１の主面の側からの照明のもとにおいて、第１の画像が第１の主面の側に再生される。
第２の主面の側から照明されたときに、第１の画像の再生される領域との重なりを有する領域において、第２の画像が第１の主面の側に再生される。
【０００８】
本開示の第２の好ましい実施態様は、
画像表示体が、ホログラム記録層と、光学ブロックとを備える。
ホログラム記録層は、第１の主面および第２の主面を有する。
ホログラム記録層には、少なくとも第１の画像および第２の画像が記録される。
光学ブロックは、ホログラム記録層との界面を有するとともに、側面を備える。
第１の主面の側からの照明のもとにおいて、第１の画像が第１の主面の側に再生される。
側面から照明されたときに、第１の画像の再生される領域との重なりを有する領域において、第２の画像が第１の主面の側に再生される。
【０００９】
本開示の第３の好ましい実施態様は、
梱包材料が、ホログラム記録層の配置された窓部と、遮光部とを備える。
ホログラム記録層は、第１の主面および第２の主面を有する。
ホログラム記録層には、少なくとも第１の画像および第２の画像が記録される。
第１の主面の側からの照明のもとにおいて、第１の画像が第１の主面の側に再生される。
窓部が第２の主面の側から照明されたときに、第１の画像の再生される領域との重なりを有する領域において、第２の画像が第１の主面の側に再生される。
【００１０】
本開示の第４の好ましい実施態様は、
画像表示ユニットが、筺体と、照明源とを備える。
筺体は、ホログラム記録層の配置された窓部を備える。
ホログラム記録層は、第１の主面および第２の主面を有する。
ホログラム記録層には、少なくとも第１の画像および第２の画像が記録される。
照明源は、筺体の内部に配置され、第２の主面に対して、あらかじめ定められた角度方向からホログラム記録層を照明する。
第１の主面の側からの照明のもとにおいて、第１の画像が第１の主面の側に再生される。
ホログラム記録層が第２の主面の側から照明されたときに、第１の画像の再生される領域との重なりを有する領域において、第２の画像が第１の主面の側に再生される。
【００１１】
ホログラム記録層には、少なくとも第１の画像および第２の画像が記録されている。第１の画像および第２の画像は、ホログラム記録層の第１の主面および第２の主面のうち、例えば、第１の主面の側から観察される。第１の画像および第２の画像のうち、例えば、第２の画像は、第２の主面の側からの照明により再生される画像とされる。
【００１２】
したがって、第１の主面の側からの照明のもとにおいては、第１の画像が観察される。一方、第２の画像は、第２の主面の側から照明されることにより選択的に再生され、観察者に観察される。このとき、第２の画像の再生される領域は、第１の画像の再生される領域との重なりを有している。
【００１３】
なお、本開示における「梱包材料」には、包装箱や包装紙のほか、ラベル、容器、ケースなども含まれるものとする。
【発明の効果】
【００１４】
少なくとも１つの実施例によれば、応用性に優れる画像表示体を提供することができる。
【図面の簡単な説明】
【００１５】
【図１】図１Ａは、本開示の実施形態にかかる画像表示体の断面を模式的に示す図である。図１Ｂは、第１の主面の側からの照明のもとにおいて観察されるホログラム画像の一例を示す平面図である。図１Ｃは、第２の主面の側から照明されたときに観察されるホログラム画像の一例を示す平面図である。
【図２】図２Ａ〜図２Ｃは、光重合型フォトポリマの感光プロセスを示す略線図である。
【図３】図３Ａは、反射型ホログラム原版に対する、第１の画像の記録時における物体光および参照光の関係を説明するための略線図である。図３Ｂは、反射型ホログラム原版からの第１の画像の再生時における照明光および再生光の関係を説明するための略線図である。図３Ｃは、透過型ホログラム原版に対する、第２の画像の記録時における物体光および参照光の関係を説明するための略線図である。図３Ｄは、透過型ホログラム原版からの第２の画像の再生時における照明光および再生光の関係を説明するための略線図である。
【図４】図４Ａは、画像表示体のホログラム記録層に対する、第１の画像および第２の画像の複製方法の一例を説明するための略線図である。図４Ｂは、画像表示体のホログラム記録層に対する、第１の画像の複製方法の一例を説明するための略線図である。図４Ｃは、反射型ホログラム原版およびホログラム記録層のみを図４Ｂから抜き出して示す略線図である。図４Ｄは、画像表示体のホログラム記録層に対する、第１の画像の複製および付加情報の記録の方法の一例を説明するための略線図である。
【図５】図５Ａは、画像表示体のホログラム記録層に対する、第２の画像の複製方法の一例を説明するための略線図である。図５Ｂは、透過型ホログラム原版およびホログラム記録層のみを図５Ａから抜き出して示す略線図である。図５Ｃおよび図５Ｄは、画像表示体のホログラム記録層に対する、第１の画像および第２の画像の複製方法の他の例を説明するための略線図である。
【図６】図６Ａは、第１の主面の側からの照明のもとにおいて観察されるホログラム画像の一例を示す平面図である。図６Ｂおよび図６Ｃは、図６Ａの状態から視点を変化させた状態で、図６Ａに示す画像表示体を観察したときに観察される画像の一例を示す図である。図６Ｄは、第２の主面の側から照明されたときに観察されるホログラム画像の一例を示す平面図である。
【図７】図７Ａは、第２の主面の側から照明されたときに観察されるホログラム画像の一例を示す平面図である。図７Ｂおよび図７Ｃは、図７Ａの状態から視点を変化させた状態で、図７Ａに示す画像表示体を観察したときに観察される画像の一例を示す図である。
【図８】図８Ａは、図６Ａの状態から視点を変化させた状態で、図６Ａに示す画像表示体を観察したときに観察される画像の一例を示す図である。図８Ｂは、第２の主面の側から照明されたときに観察されるホログラム画像の一例を示す平面図である。図８Ｃは、図８Ｂの状態から視点を変化させた状態で、図８Ｂに示す画像表示体を観察したときに観察される画像の一例を示す図である。図８Ｄは、ホログラム記録層が、第１のホログラム記録層および第２のホログラム記録層の積層体とされた構成例を示す断面図である。
【図９】図９Ａは、面内の一部に本開示の実施形態にかかる画像表示体が配置されたクレジットカードの構成例を示す平面図である。図９Ｂは、図９ＡのXXXI−XXXI断面を模式的に示す図である。図９Ｃは、画像表示体に記録された情報の読取装置の一例を示す概略図である。
【図１０】１０Ａは、面内の一部に本開示の実施形態にかかる画像表示体が配置された入場券の構成例を示す平面図である。図１０Ｂは、図１０ＡのXXXIV−XXXIV断面を模式的に示す図である。図１０Ｃは、図１０Ａに示す入場券のホログラム記録層から第２の画像を再生させた状態を示す平面図である。
【図１１】図１１Ａは、本開示の実施形態にかかる画像表示ユニットを備えるスマートフォンの例を示す斜視図である。図１１Ｂは、図１１Ａに破線で示すＺ部を拡大して示す平面図である。図１１Ｃは、図１１ＢのXXXVIII−XXXVIII断面を模式的に示す図である。
【図１２】図１２Ａ〜図１２Ｃは、画像表示ユニットの他の構成例の断面を模式的に示す図である。
【図１３】図１３Ａは、第１の画像が反射型の体積型ホログラムとして記録され、第２の画像がエッジリット型の体積型ホログラムとして記録された画像表示体を備える画像表示ユニットの構成例の断面を模式的に示す図である。図１３Ｂは、図１３Ａに示す画像表示ユニットのうち、画像表示体のみを取りだして示す図である。
【図１４】図１４Ａは、エッジリット型ホログラム原版に対する、第２の画像の記録時における物体光および参照光の関係を説明するための略線図である。図１４Ｂは、エッジリット型ホログラム原版からの第２の画像の再生時における照明光および再生光の関係を説明するための略線図である。図１４Ｃおよび図１４Ｄは、画像表示体のホログラム記録層に対する、第１の画像の複製方法の一例を説明するための略線図である。
【図１５】図１５Ａおよび図１５Ｂは、画像表示体のホログラム記録層に対する、第２の画像の複製方法の一例を説明するための略線図である。図１５Ｃは、コピー用光学ブロック、エッジリット型ホログラム原版およびホログラム記録層のみを図１５Ｂから抜き出して示す略線図である。図１５Ｄは、第１の画像および第２の画像の複製のなされた画像表示体の一例を示す略線図である。
【図１６】図１６Ａおよび図１６Ｂは、画像表示体のホログラム記録層に対する、第１の画像および第２の画像の複製方法の他の例を説明するための略線図である。図１６Ｃは、第１の主面の側からの照明のもとにおいて、本開示の実施形態にかかる画像表示ユニットから観察されるホログラム画像の一例を示す平面図である。図１６Ｄは、照明源が点灯されたときに、本開示の実施形態にかかる画像表示ユニットから観察されるホログラム画像の一例を示す平面図である。
【図１７】図１７Ａは、本開示の実施形態にかかる画像表示ユニットを備えるパーソナルコンピュータの例を示す斜視図である。図１７Ｂは、図１７ＡのLVII−LVII断面を模式的に示す図である。
【図１８】図１８Ａは、第１の主面の側からの照明のもとにおいて、画像表示ユニットから観察されるホログラム画像の一例を示す平面図である。図１８Ｂおよび図１８Ｃは、照明源が点灯されたときに、画像表示ユニットから観察されるホログラム画像の一例を示す平面図である。
【図１９】図１９Ａは、本開示の実施形態にかかる画像表示ユニットを備える表示装置の例を示す正面図である。図１９Ｂは、図１９Ａに示す表示装置の断面を模式的に示す図である。
【図２０】図２０Ａは、本開示の実施形態にかかる梱包材料の開封前の状態を示す斜視図である。図２０Ｂは、本開示の実施形態にかかる梱包材料の開封後の状態を示す斜視図である。図２０Ｃおよび図２０Ｄは、本開示の実施形態にかかる梱包材料の他の一例を示す正面図である。
【発明を実施するための形態】
【００１６】
以下、画像表示体および梱包材料ならびに画像表示ユニットの実施形態について説明する。説明は、以下の順序で行う。
＜１．第１の実施形態＞
［１−１．画像表示体の概略的構成］
（１−１−１．ホログラム記録層）
（１−１−２．基材層）
［１−２．画像表示体の製造方法の一例］
（１−２−１．画像表示体の製造方法の変形例）
［１−３．画像表示体に記録される画像の態様の例］
［１−４．コピープロテクションの効果］
［１−５．クレジットカードへの応用例］
［１−６．入場券への応用例］
＜２．第２の実施形態＞
［２−１．画像表示ユニットの概略的構成］
（２−１−１．ホログラム記録層）
（２−１−２．照明源）
［２−２．エッジリットホログラムを適用した例］
［２−３．画像表示体の製造方法の一例］
［２−４．画像表示ユニットにおける再生像の切り替えの例］
［２−５．コピープロテクションの効果］
［２−６．その他の効果］
［２−７．画像表示ユニットの第１の応用例］
（２−７−１．第１の応用例における再生像の切り替えの例）
［２−８．画像表示ユニットの第２の応用例］
（２−８−１．第２の応用例における再生像の切り替えの例）
＜３．第３の実施形態＞
［３−１．梱包材料の概略的構成］
＜４．変形例＞
【００１７】
なお、以下に説明する実施形態は、画像表示体および梱包材料ならびに画像表示ユニットの好適な具体例である。以下の説明においては、技術的に好ましい種々の限定が付されているが、特に本開示を限定する旨の記載がない限り、画像表示体および梱包材料ならびに画像表示ユニットの例は、以下に示す実施形態に限定されないものとする。
【００１８】
＜１．第１の実施形態＞
［１−１．画像表示体の概略的構成］
図１Ａは、本開示の実施形態にかかる画像表示体の断面を模式的に示す図である。図１Ｂは、第１の主面の側からの照明のもとにおいて観察されるホログラム画像の一例を示す平面図である。図１Ｃは、第２の主面の側から照明されたときに観察されるホログラム画像の一例を示す平面図である。図１Ａは、図１ＢのＩ−Ｉ断面図および図１ＣのＩ−Ｉ断面図に対応する。
【００１９】
画像表示体１は、例えば、画像などの情報がホログラフィックに記録された記録媒体である。したがって、画像表示体１は、ホログラム記録層を備えている。図１Ａでは、画像表示体１が、例えば、樹脂フィルムなどの基材層１ｂと、ホログラム記録層１ａとの積層体として構成された例を示している。
【００２０】
ホログラム記録層１ａへの画像の記録は、例えば、ホログラム記録層１ａを構成する材料の屈折率の変調により行われる。すなわち、ホログラム記録層１ａは、具体的には、例えば、光重合型フォトポリマなどから構成される体積型ホログラムの層である。
【００２１】
図１Ａに示すように、ホログラム記録層１ａは、第１の主面Ｐ１および第２の主面Ｐ２を有している。画像表示体１の観察者は、例えば、第１の主面Ｐ１の側から画像表示体１を観察することにより、ホログラム記録層１ａに記録されている画像に関する情報を取得することができる。
【００２２】
ホログラム記録層１ａには、２以上の画像が記録される。図１Ａ〜図１Ｃに示す構成例では、ホログラム記録層１ａに、第１の画像Ｄ１および第２の画像Ｄ２が記録されている。
【００２３】
例えば、第１の画像Ｄ１は、ホログラム記録層１ａの第１の主面Ｐ１の側からの照明のもとにおいて、第１の主面Ｐ１の側に再生される画像である。すなわち、第１の画像Ｄ１は、室内照明などのもとにおいて、画像表示体１の観察者に観察される画像である。第１の画像Ｄ１は、具体的には、例えば、反射型の体積型ホログラムである。なお、この時点では、図１Ｂに示すように、第２の画像Ｄ２は再生されておらず、画像表示体１の観察者には、第２の画像Ｄ２は観察されない。
【００２４】
一方、第２の画像Ｄ２は、ホログラム記録層１ａの第２の主面Ｐ２の側から照明されたときに、第１の主面Ｐ１の側に再生される画像とされる。すなわち、第２の画像Ｄ２の再生は、第２の主面Ｐ２への照明光の入射の有無により、選択的に切り替えられる。第２の画像Ｄ２は、具体的には、例えば、透過型の体積型ホログラムである。
【００２５】
図１Ｃは、第２の主面の側から照明されたときに観察されるホログラム画像の一例を示している。図１Ｃに示す例では、“ＧＥＮＵＩＮＥ  ＰＲＯＤＵＣＴ”の文字の配列が、第２の画像Ｄ２として、ホログラム記録層１ａから再生されている。第２の画像Ｄ２は、文字の配列に限られず、絵柄や記号などであってももちろんかまわない。なお、第２の画像Ｄ２は、図１Ｃに示すように、第１の画像Ｄ１の再生される領域との重なりを有する領域において再生される。
【００２６】
以下、ホログラム記録層１ａおよび基材層１ｂについて順に説明する。
【００２７】
（１−１−１．ホログラム記録層）
上述したように、ホログラム記録層１ａは、具体的には、例えば、光重合型フォトポリマから構成される層である。ホログラム記録層１ａを構成する材料として光重合型フォトポリマを適用すると、露光後のホログラム記録層１ａに対する特別な現像処理を不要とすることができる。そのため、ホログラム記録層１ａを構成する材料として光重合型フォトポリマを適用することにより、画像表示体１の製造装置の構成および画像表示体１の製造工程を簡略化することができる。
【００２８】
図２Ａ〜図２Ｃは、光重合型フォトポリマの感光プロセスを示す略線図である。光重合型フォトポリマは、初期状態では、図２Ａに示すように、モノマＭがマトリクスポリマに均一に分散している。
【００２９】
図２Ｂに示すように、光重合型フォトポリマに対して１０〜４００ｍＪ／ｃｍ2程度のパワーの光ＬＡを照射すると、露光部においてモノマＭが重合する。そして、ポリマ化するにつれて周囲からモノマＭが移動してモノマＭの濃度が場所によって変化し、これにより、屈折率変調が生じる。
【００３０】
この後、図２Ｃに示すように、１０００ｍＪ／ｃｍ2程度のパワーの光ＬＢを光重合型フォトポリマの全面に照射することにより、モノマＭの重合が完了する。１０００ｍＪ／ｃｍ2程度のパワーの光ＬＢは、例えば、紫外線や可視光である。
【００３１】
このように、光重合型フォトポリマは、入射された光に応じて屈折率が変化するので、参照光と物体光との干渉によって生じる干渉パターンを、屈折率の変化として記録することができる。
【００３２】
（１−１−２．基材層）
基材層１ｂは、例えば、いわゆるフィルム塗布タイプの記録媒体として画像表示体１を構成する場合に、必要に応じて設けられる支持基材である。例えば、基材層１ｂの一主面上に光重合型フォトポリマが塗布されることによりホログラム記録層１ａが形成される場合には、基材層１ｂは、ホログラム記録層１ａの形成時におけるベースフィルムとして機能する。したがって、基材層１ｂは、画像表示体１の構成として必須の要素ではない。
【００３３】
基材層１ｂの材料は、可視光領域で高い透明性を有している材料から選択されることが好ましい。すなわち、例えば、基材層１ｂは、樹脂材料からなるシートもしくは樹脂材料からなるフィルムまたはガラス板である。樹脂材料としては、例えば、ポリエチレンテレフタレート、ポリカーボネート、シクロオレフィンポリマ、ポリエーテルスルフォン、ポリエチレンナフタレート、トリアセチルセルロース、ポリイミド、ポリメタクリル酸メチル、アラミドなどを挙げることができる。
【００３４】
［１−２．画像表示体の製造方法の一例］
次に、画像表示体１の製造方法の一例について説明する。以下に説明する製造方法の一例は、第１の画像Ｄ１を反射型の体積型ホログラムとして記録し、第２の画像Ｄ２を透過型の体積型ホログラムとして記録する製造方法の一例である。なお、生産性を考慮して、この製造方法の一部または全部のプロセスをロールツーロール（Roll to Roll）により行うようにしてもよい。
【００３５】
第１の画像Ｄ１および第２の画像Ｄ２をホログラム記録層１ａに記録するために、まず、例えば、反射型ホログラム原版ＭＲおよび透過型ホログラム原版ＭＰを用意する。反射型ホログラム原版ＭＲには、第１の画像Ｄ１が反射型のホログラムとして記録されており、透過型ホログラム原版ＭＰには、第２の画像Ｄ２が透過型のホログラムとして記録されている。反射型ホログラム原版ＭＲに記録されたホログラム画像と、透過型ホログラム原版ＭＰに記録されたホログラム画像とをホログラム記録層１ａに複製することにより、第１の画像Ｄ１および第２の画像Ｄ２をホログラム記録層１ａに記録することができる。
【００３６】
図３Ａは、反射型ホログラム原版に対する、第１の画像の記録時における物体光および参照光の関係を説明するための略線図である。図３Ｂは、反射型ホログラム原版からの第１の画像の再生時における照明光および再生光の関係を説明するための略線図である。図３Ｃは、透過型ホログラム原版に対する、第２の画像の記録時における物体光および参照光の関係を説明するための略線図である。図３Ｄは、透過型ホログラム原版からの第２の画像の再生時における照明光および再生光の関係を説明するための略線図である。
【００３７】
図３Ａおよび図３Ｂに示す反射型ホログラム原版ＭＲは、例えば、第１の画像Ｄ１がホログラフィックに記録された体積型ホログラムである。図３Ｃおよび図３Ｄに示す透過型ホログラム原版ＭＰは、例えば、第２の画像Ｄ２がホログラフィックに記録された体積型ホログラムである。反射型ホログラム原版ＭＲおよび透過型ホログラム原版ＭＰのそれぞれは、例えば、透明基材層、ホログラム記録層、透明保護層の積層体である。透明基材層および透明保護層は、例えば、可視光領域で高い透明性を有する樹脂材料から構成される。
【００３８】
反射型ホログラム原版ＭＲへの第１の画像Ｄ１の記録においては、図３Ａに示すように、反射型ホログラム原版ＭＲの一主面の側から物体光Ｌｍｒｏを入射させるとともに、物体光Ｌｍｒｏの入射する側とは反対の主面の側から、参照光Ｌｍｒｒを入射させる。すると、物体光Ｌｍｒｏと参照光Ｌｍｒｒとの干渉パターンが、反射型ホログラム原版ＭＲのホログラム記録層に記録される。なお、反射型ホログラム原版ＭＲに対する物体光Ｌｍｒｏの入射角および参照光Ｌｍｒｒの入射角は、それぞれξｏおよびξｒであったとする。
【００３９】
第１の画像Ｄ１の記録後の反射型ホログラム原版ＭＲに対して、例えば、参照光Ｌｍｒｒと等価な照明光Ｌｍｒｉを、入射角ξｉ＝ξｒなる角度方向から入射させたとする。すると、図３Ｂに示すように、ξｄ＝（ξｏ−１８０°）なる角度方向に回折光（再生光）Ｌｍｒｄが出射される。すなわち、反射型ホログラム原版ＭＲは、第１の画像Ｄ１の記録された反射型の体積型ホログラムとなる。
【００４０】
透過型ホログラム原版ＭＰへの第２の画像Ｄ２の記録においては、図３Ｃに示すように、透過型ホログラム原版ＭＰの一主面の側から物体光Ｌｍｐｏを入射させるとともに、物体光Ｌｍｐｏの入射する側とは同一の主面の側から、参照光Ｌｍｐｒを入射させる。すると、物体光Ｌｍｐｏと参照光Ｌｍｐｒとの干渉パターンが、透過型ホログラム原版ＭＰのホログラム記録層に記録される。なお、透過型ホログラム原版ＭＰに対する物体光Ｌｍｐｏの入射角および参照光Ｌｍｐｒの入射角は、それぞれζｏおよびζｒであったとする。
【００４１】
第２の画像Ｄ２の記録後の透過型ホログラム原版ＭＰに対して、例えば、参照光Ｌｍｐｒと等価な照明光Ｌｍｐｉを、入射角ζｉ＝ζｒなる角度方向から入射させたとする。すると、図３Ｄに示すように、ζｄ＝（ζｏ−１８０°）なる角度方向に回折光（再生光）Ｌｍｐｄが出射される。すなわち、透過型ホログラム原版ＭＰは、第２の画像Ｄ２の記録された透過型の体積型ホログラムとなる。
【００４２】
図４Ａは、画像表示体のホログラム記録層に対する、第１の画像および第２の画像の複製方法の一例を説明するための略線図である。ホログラム記録層１ａに対する、第１の画像Ｄ１および第２の画像Ｄ２の複製に際しては、図４Ａに示すように、例えば、反射型ホログラム原版ＭＲおよび透過型ホログラム原版ＭＰの積層体が、画像複製のための原版ＭＳＴとして用いられる。
【００４３】
図４Ａに示すように、例えば、原版ＭＳＴをガラス基板Ｇの一主面上に配置し、ガラス基板Ｇにおける、原版ＭＳＴの配置された側とは反対側の主面に対して、ホログラム記録層１ａを密着させる。このとき、ガラス基板Ｇに対して、ホログラム記録層１ａの第２の主面Ｐ２の側を密着させた状態とする。
【００４４】
図４Ｂは、画像表示体のホログラム記録層に対する、第１の画像の複製方法の一例を説明するための略線図である。図４Ｂに示すように、ホログラム記録層１ａおよびガラス基板Ｇを介して、反射型ホログラム原版ＭＲに対して照明光Ｌｍｒｉが照射される。なお、照明光Ｌｍｒｉの波長としては、反射型ホログラム原版ＭＲに対する第１の画像Ｄ１の記録に用いた光源の波長が選択される。例えば、物体光Ｌｍｒｏおよび参照光Ｌｍｒｒとして、波長のピークが約５３２ｎｍの緑色レーザを用いた場合には、照明光Ｌｍｒｉの光源として、波長のピークが約５３２ｎｍの緑色レーザが選択される。
【００４５】
図４Ｃは、反射型ホログラム原版およびホログラム記録層のみを図４Ｂから抜き出して示す略線図である。反射型ホログラム原版ＭＲは反射型のホログラムである。そのため、反射型ホログラム原版ＭＲに対して照明光Ｌｍｒｉが入射することにより、図４Ｃに示すように、反射型ホログラム原版ＭＲからホログラム記録層１ａに向けて回折光Ｌｍｒｄが出射される。
【００４６】
反射型ホログラム原版ＭＲからホログラム記録層１ａに向けて回折光Ｌｍｒｄが出射されることにより、回折光Ｌｍｒｄと照明光Ｌｍｒｉとの干渉パターンが、ホログラム記録層１ａに記録される。すなわち、反射型ホログラム原版ＭＲに記録されている第１の画像Ｄ１が、反射型の体積型ホログラムとしてホログラム記録層１ａに複製される。
【００４７】
なお、第１の画像Ｄ１の複製時に、第１の画像Ｄ１とは異なる付加情報をホログラム記録層１ａにさらに記録するようにしてもよい。
【００４８】
図４Ｄは、画像表示体のホログラム記録層に対する、第１の画像の複製および付加情報の記録の方法の一例を説明するための略線図である。ホログラム記録層１ａに付加情報をさらに記録するには、図４Ｄに示すように、ホログラム記録層１ａに対する照明光Ｌｍｒｉの照射と同時に、原版ＭＳＴおよびガラス基板Ｇを介して、付加情報光Ｌａｄ１をホログラム記録層１ａに入射させればよい。なお、図４Ｄに示す角ωａｄ１は、ホログラム記録層１ａに対する、付加情報光Ｌａｄ１の入射角である。
【００４９】
付加情報光Ｌａｄ１および照明光Ｌｍｒｉは、例えば、同一の光源から出射されたレーザ光が分岐されることにより生成される。レーザ光に付加情報を重畳するには、例えば、付加情報を画像として表示させた液晶パネルなどの空間変調素子に、レーザ光を入射させて、レーザ光を変調すればよい。
【００５０】
付加情報の重畳された付加情報光Ｌａｄ１が、原版ＭＳＴおよびガラス基板Ｇを介してホログラム記録層１ａに照射されることにより、付加情報光Ｌａｄ１と照明光Ｌｍｒｉとの干渉パターンが、屈折率の変化としてホログラム記録層１ａに記録される。
【００５１】
付加情報としては、例えば、画像表示体の一点一点を識別するための識別情報を挙げることができる。すなわち、付加情報として、例えば、シリアル番号や一次元バーコード、二次元バーコード、製造者名、ロット番号などに関する画像情報をホログラム記録層１ａに記録することができる。
【００５２】
なお、識別情報などの付加情報の記録された反射型ホログラム原版ＭＲを使用し、第１の画像Ｄ１として、付加情報に関する画像をホログラム記録層１ａに複製するようにしてもよい。
【００５３】
図５Ａは、画像表示体のホログラム記録層に対する、第２の画像の複製方法の一例を説明するための略線図である。図５Ａに示すように、ガラス基板Ｇにおける、ホログラム記録層１ａの密着された側とは反対の主面の側から、透過型ホログラム原版ＭＰに対して照明光Ｌｍｐｉが照射される。なお、照明光Ｌｍｐｉの波長としては、ホログラム記録層１ａに対する第１の画像Ｄ１の複製の場合と同様に、透過型ホログラム原版ＭＰに対する第２の画像Ｄ２の記録に用いた光源の波長が選択される。
【００５４】
図５Ｂは、透過型ホログラム原版およびホログラム記録層のみを図５Ａから抜き出して示す略線図である。透過型ホログラム原版ＭＰは透過型のホログラムである。そのため、透過型ホログラム原版ＭＰに対して照明光Ｌｍｐｉが入射することにより、図５Ｂに示すように、透過型ホログラム原版ＭＰからホログラム記録層１ａに向けて回折光Ｌｍｐｄが出射される。
【００５５】
透過型ホログラム原版ＭＰからホログラム記録層１ａに向けて回折光Ｌｍｐｄが出射されることにより、回折光Ｌｍｐｄと照明光Ｌｍｐｉとの干渉パターンが、ホログラム記録層１ａに記録される。すなわち、透過型ホログラム原版ＭＰに記録されている第２の画像Ｄ２が、透過型の体積型ホログラムとしてホログラム記録層１ａに複製される。
【００５６】
第１の画像Ｄ１の複製の場合と同様に、第２の画像Ｄ２とは異なる付加情報をホログラム記録層１ａにさらに記録することも可能である。付加情報をホログラム記録層１ａにさらに記録するには、図５Ａに示すように、ホログラム記録層１ａに対する照明光Ｌｍｐｉの照射と同時に、原版ＭＳＴおよびガラス基板Ｇを介して、付加情報光Ｌａｄ２をホログラム記録層１ａに入射させればよい。なお、図５Ａに示す角ωａｄ２は、ホログラム記録層１ａに対する、付加情報光Ｌａｄ２の入射角である。
【００５７】
または、例えば、識別情報などの付加情報の記録された透過型ホログラム原版ＭＰを使用し、第２の画像Ｄ２として、付加情報に関する画像をホログラム記録層１ａに複製するようにしてもよい。
【００５８】
ホログラム記録層１ａへの第１の画像Ｄ１の複製および第２の画像Ｄ２の複製が終了すると、ガラス基板Ｇからホログラム記録層１ａが剥離され、必要に応じて、ホログラム記録層１ａに後処理が施される。例えば、ホログラム記録層１ａに対して、記録画像を定着させるための紫外線の照射や加熱が行われる。紫外線の照射や加熱などの後処理により、光重合型フォトポリマの屈折率変調度が増加し、複製されたホログラム画像がホログラム記録層１ａに定着する。
【００５９】
以上により、反射型の体積型ホログラムとしての第１の画像Ｄ１と、透過型の体積型ホログラムとしての第２の画像Ｄ２とをホログラム記録層１ａに記録することができる。すなわち、反射型の体積型ホログラムとして第１の画像Ｄ１が記録されるとともに、透過型の体積型ホログラムとして第２の画像Ｄ２が記録されたホログラム記録層１ａを備える画像表示体を得ることができる。
【００６０】
（１−２−１．画像表示体の製造方法の変形例）
画像表示体のホログラム記録層に対する、第１の画像および第２の画像の複製方法は、上述した例のほかに種々の変形が可能である。
【００６１】
図５Ｃおよび図５Ｄは、画像表示体のホログラム記録層に対する、第１の画像および第２の画像の複製方法の他の例を説明するための略線図である。
【００６２】
例えば、図５Ｃに示すように、原版ＭＳＴにおける、ガラス基板Ｇとの界面の側とは反対の側に、ルーバーＬＶｍを配置するようにしてもよい。
【００６３】
ルーバーＬＶｍは、例えば、平面状の黒色の吸収層を一定間隔で透明板の内部に配置した構成を有する。原版ＭＳＴと隣接してルーバーＬＶｍを配置することにより、空気と原版ＭＳＴとの界面における、第１の画像Ｄ１を再生させるための照明光Ｌｍｒｉの正反射が防止され、ノイズの混入による、ホログラム記録層１ａに記録される画像の劣化を防止することができる。
【００６４】
また、例えば、反射型の体積型ホログラムの記録された原版と、透過型の体積型ホログラムの記録された原版とを積層することにかえ、図５Ｄに示すように、反射型の体積型ホログラムおよび透過型の体積型ホログラムが記録された原版ＭＲＰを使用してもよい。
【００６５】
図４Ａ〜図４Ｄおよび図５Ａ〜図５Ｃでは、ガラス基板Ｇに近い方から反射型ホログラム原版ＭＲおよび透過型ホログラム原版ＭＰが順に積層された例を示したが、反射型ホログラム原版ＭＲおよび透過型ホログラム原版ＭＰの配置はこの例に限られない。例えば、原版ＭＳＴにかえ、ガラス基板Ｇに近い方から順に透過型ホログラム原版ＭＰおよび反射型ホログラム原版ＭＲが積層された原版を用いてもよい。
【００６６】
図４Ａ〜図４Ｄならびに図５Ａおよび図５Ｂに示した例では、第１の画像Ｄ１の複製および第２の画像Ｄ２の複製が順に行われたが、第１の画像Ｄ１および第２の画像Ｄ２の複製の順序は、上述した例に限られない。例えば、第２の画像Ｄ２の複製および第１の画像Ｄ１の複製が順に行われてもよい。
【００６７】
なお、第１の画像Ｄ１の複製および第２の画像Ｄ２の複製に際しては、照明光Ｌｍｒｉ、照明光Ｌｍｐｉ、付加情報光Ｌａｄ１または付加情報光Ｌａｄ２の照射によりスードスコピック（pseudoscopic）画像が再生されないような入射角ξｉ、ζｉ、ωａｄ１およびωａｄ２が選択されることが好ましい。スードスコピック画像が再生されてしまうと、記録に必要な光がホログラム記録層１ａに到達しなかったり、ホログラム記録層１ａに複製される画像に強弱が生じたりするからである。したがって、例えば、ξｉ≠（ζｒ＋１８０°）であることが好ましく、また、ζｉ≠（ξｒ＋１８０°）であることが好ましい。
【００６８】
第１の画像Ｄ１の複製および第２の画像Ｄ２の複製は、一括して同時に行われてもよい。この場合、照明光Ｌｍｒｉおよび照明光Ｌｍｐｉがインコヒーレントとなるように、例えば、照明光Ｌｍｒｉの光源と、照明光Ｌｍｐｉの光源とが別個のレーザ光源とされることが好ましい。照明光Ｌｍｒｉの光源と、照明光Ｌｍｐｉの光源とが別個のレーザ光源とされることにより、照明光Ｌｍｒｉと、照明光Ｌｍｐｉとの間の干渉が回避される。
【００６９】
なお、反射型ホログラム原版ＭＲへの第１の画像Ｄ１の記録に用いる光源の波長と、透過型ホログラム原版ＭＰへの第２の画像Ｄ２の記録に用いる光源の波長とを、相異なるものとしておいてもよい。この場合、第１の画像Ｄ１の再生波長と、第２の画像Ｄ２の再生波長とが相異なったものとなり、したがって、ホログラム記録層１ａから再生される個々の画像の色みを異なったものとすることができる。
【００７０】
［１−３．画像表示体に記録される画像の態様の例］
図６Ａは、第１の主面の側からの照明のもとにおいて観察されるホログラム画像の一例を示す平面図である。図６Ｂおよび図６Ｃは、図６Ａの状態から視点を変化させた状態で、図６Ａに示す画像表示体を観察したときに観察される画像の一例を示す図である。図６Ｄは、第２の主面の側から照明されたときに観察されるホログラム画像の一例を示す平面図である。図６Ａ〜図６Ｄでは、第１の画像Ｄ１を、視点の移動方向に連続した視差をもって再生される視差画像とした構成例を示している。
【００７１】
反射型ホログラム原版ＭＲに、視点の移動方向に連続した視差をもって再生される視差画像を第１の画像Ｄ１として記録した場合には、図６Ａ〜図６Ｃに示すように、ホログラム記録層１ａに複製される画像も視差画像となる。
【００７２】
例えば、ホログラム記録層１ａに複製された第１の画像Ｄ１が、第１の主面Ｐ１にたてた法線に対して、水平方向に沿って視点を動かしたときに、水平方向に連続した視差をもって再生される画像であったとする。このとき、第１の主面Ｐ１の側（以下、表側と適宜称する。）からの照明のもとにおいて画像表示体１を表側から観察すると、図６Ａに示すように、例えば、地球の絵柄がホログラム画像として観察される。
【００７３】
第１の画像Ｄ１が、水平方向に連続した視差画像であるとき、表側からの照明のもとにおいて、画像表示体１を観察する視点を左右に動かすと、画像表示体１から観察される絵柄が連続的に変化することになる。表側からの照明のもとにおいて、画像表示体１を観察する視点を左右に動かすと、例えば、図６Ｂおよび図６Ｃに示すように、視点の移動の前に観察された絵柄とは異なった絵柄が、画像表示体１から観察される。
【００７４】
ここで、画像表示体１が第２の主面Ｐ２の側（以下、裏側と適宜称する。）から照明されると、図６Ｄに示すように、第２の画像Ｄ２が、第１の画像Ｄ１の再生される領域との重なりを有する領域において再生される。すなわち、画像表示体１を表側から観察する画像表示体１の観察者には、例えば、“ＧＥＮＵＩＮＥ  ＰＲＯＤＵＣＴ”の文字の配列が観察される。
【００７５】
また、例えば、ホログラム記録層１ａに複製される２以上の画像は、それぞれが視差画像とされてもよい。
【００７６】
図７Ａは、第２の主面の側から照明されたときに観察されるホログラム画像の一例を示す平面図である。図７Ｂおよび図７Ｃは、図７Ａの状態から視点を変化させた状態で、図７Ａに示す画像表示体を観察したときに観察される画像の一例を示す図である。
【００７７】
図７Ａ〜図７Ｃは、第１の画像Ｄ１および第２の画像Ｄ２を、視点の移動方向に視差をもって再生される視差画像とした構成例である。図７Ａ〜図７Ｃに示す構成例では、第１の画像Ｄ１が、左右に視点を動かしたときに、左右方向に連続した視差をもって再生される画像とされている。また、第２の画像Ｄ２が、上下方向に沿って視点を動かしたときに、上下方向に視差をもって再生される画像とされている。
【００７８】
この場合、表側からの照明のもとにおいて、画像表示体１から観察される画像は、例えば、図６Ａ〜図６Ｃに示すものと同様である。一方、第２の画像Ｄ２は、画像表示体１が裏側から照明されたときに再生され、画像表示体１の観察者に観察される。第２の画像Ｄ２を視差画像とすることにより、例えば、第２の画像Ｄ２を、観察者の視点が所定の角度範囲にあるときにのみ観察される画像とすることができる。
【００７９】
例えば、図７Ａに示すように、第２の画像Ｄ２は、画像表示体１の観察者の視点と、画像表示体１の第１の主面Ｐ１との相対位置関係を図６Ａに示す状態と略同様にして、画像表示体１を裏側から照明したときに、画像表示体１の観察者に観察される画像とされる。
【００８０】
ここで、図７Ａ〜図７Ｃに示す構成例では、第２の画像Ｄ２が、観察者の視点が所定の角度範囲にあるときにのみ観察される視差画像とされている。そのため、画像表示体１の観察者が画像表示体１を観察する視点を上下に動かすと、図７Ｂおよび図７Ｃに示すように、第２の画像Ｄ２が画像表示体１の観察者に観察されなくなる。
【００８１】
このように、第２の画像Ｄ２を、視点の移動方向に視差をもって再生される視差画像とすることにより、第２の画像Ｄ２を、画像表示体１の観察者の視点の位置に応じて再生される切り替え型の画像とすることも可能である。なお、第２の画像Ｄ２が、上下方向に連続した視差をもって再生される画像とされてももちろんかまわない。
【００８２】
また、例えば、ホログラム記録層１ａに、２以上の付加情報を記録するようにしてもよい。
【００８３】
図８Ａは、図６Ａの状態から視点を変化させた状態で、図６Ａに示す画像表示体を観察したときに観察される画像の一例を示す図である。図８Ｂは、第２の主面の側から照明されたときに観察されるホログラム画像の一例を示す平面図である。図８Ｃは、図８Ｂの状態から視点を変化させた状態で、図８Ｂに示す画像表示体を観察したときに観察される画像の一例を示す図である。図８Ａ〜図８Ｃは、第１の画像Ｄ１として、左右方向に連続した視差をもって再生される絵柄および上下方向に視差をもって再生される識別情報が記録されるとともに、第２の画像Ｄ２として、上下方向に視差をもって再生される識別情報が記録された構成例である。
【００８４】
この場合、表側からの照明のもとにおいて、画像表示体１を観察する視点を左右に動かしたときに画像表示体１から観察される画像は、例えば、図６Ａ〜図６Ｃに示すものと同様である。
【００８５】
ここで、図８Ａ〜図８Ｃに示す構成例では、例えば、図４Ｄに示した手法により、第１の識別情報が、反射型の体積型ホログラムとしてさらに記録されている。地球の絵柄が、左右方向に連続した視差をもって再生される画像としてホログラム記録層１ａに記録されることに対して、第１の識別情報が、例えば、上下方向に視差をもって再生される画像としてホログラム記録層１ａに記録されている。したがって、第１の識別情報Ｄｒ１は、例えば、図８Ａに示すように、表側からの照明のもとにおいて、画像表示体１を観察する視点を上下に動かしたときに観察される画像とされる。図８Ａに示す構成例では、表側からの照明のもとにおいて、画像表示体１を観察する視点を上下に動かすと、例えば、“ＰＨＩＬＳＹ”の文字の配列が、画像表示体１から観察される。
【００８６】
次に、画像表示体１の観察者の視点と、画像表示体１の第１の主面Ｐ１との相対位置関係を図６Ａに示す状態と略同様にして、画像表示体１を裏側から照明したとする。すると、画像表示体１が裏側から照明されることにより、画像表示体１から観察される第１の画像Ｄ１の鮮明度は低下する。
【００８７】
図８Ａ〜図８Ｃに示す構成例では、例えば、図５Ａに示した手法により、第２の識別情報が、透過型の体積型ホログラムとして記録される。そのため、画像表示体１を裏側から照明したまま、画像表示体１を観察する視点を上下に動かすと、図８Ｃに示すように、第２の識別情報Ｄｐ２として、例えば、“３０７２１７２”の数字の配列が、画像表示体１から観察される。
【００８８】
このように、２以上の識別情報のそれぞれを、観察者の視点が所定の角度範囲にあるときにのみ観察される画像とすることもできる。ホログラム記録層１ａに記録される識別情報を、反射型の体積型ホログラムと、透過型の体積型ホログラムとに区分することにより、ホログラム記録層１ａに記録される識別情報を、それぞれのホログラムを再生してはじめて意味をもつ情報とすることができる。第１の識別情報が、透過型の体積型ホログラムとして記録され、第２の識別情報が、反射型の体積型ホログラムとして記録されてももちろんかまわない。
【００８９】
なお、これまでに説明した構成例では、第１の画像Ｄ１および第２の画像Ｄ２が、ともに１層のホログラム記録層１ａに記録されたが、ホログラム記録層１ａが、例えば、複数の記録層を含んでいてもよい。
【００９０】
図８Ｄは、ホログラム記録層が、第１のホログラム記録層および第２のホログラム記録層の積層体とされた構成例を示す断面図である。図８Ｄでは、ホログラム記録層１ａが、第１の画像Ｄ１の記録された第１のホログラム記録層１ａａおよび第２の画像Ｄ２の記録された第２のホログラム記録層１ａｂの積層体とされた画像表示体２の構成例を示している。第１のホログラム記録層１ａａには、例えば、反射型の体積型ホログラムが記録され、第２のホログラム記録層１ａｂには、例えば、透過型の体積型ホログラムが記録される。
【００９１】
このように、反射型の体積型ホログラムの記録されたホログラム記録層と、透過型の体積型ホログラムの記録されたホログラム記録層とが積層されることにより、ホログラム記録層１ａが構成されてもよい。なお、ホログラム記録層１ａが、第１のホログラム記録層１ａａおよび第２のホログラム記録層１ａｂの積層体とされる構成においては、第１のホログラム記録層１ａａおよび第２のホログラム記録層１ａｂのいずれが基材層１ｂに隣接していてもよい。
【００９２】
［１−４．コピープロテクションの効果］
次に、第１の実施形態にかかる画像表示体１のコピープロテクションの効果について説明する。
【００９３】
上述したように、画像表示体１は、第１の画像Ｄ１および第２の画像Ｄ２の記録されたホログラム記録層１ａを備える。第１の画像Ｄ１は、例えば、反射型の体積型ホログラムとされ、第２の画像Ｄ２は、例えば、透過型の体積型ホログラムとされる。また、第２の画像Ｄ２は、画像表示体１の裏側からの照明の有無により、第１の画像Ｄ１の再生される領域との重なりを有する領域において、画像表示体１の表側に選択的に再生される。
【００９４】
ところで、体積型ホログラムは、例えば、ホログラムが記録された原版（以下、オリジナル原版と適宜称する。）に対してホログラム用記録材料を密着または近接させ、オリジナル原版およびホログラム用記録材料に対してレーザ光を照射することにより、製造（量産）することが可能である。原版に記録されたホログラムをレーザ光により再生させ、原版に密着または近接させたホログラム用記録材料にホログラムを複製する手法は、コンタクトコピーと呼ばれる。
【００９５】
コンタクトコピーの手法によれば、真正に製造された体積型ホログラムに対して未露光のホログラム用記録材料を近接させ、記録波長と近い波長のレーザ光を照射することにより、体積型ホログラムの不正な複製が不可能ではない。そのため、真正に製造されるホログラムや、それを応用した製品には、高度なセキュリティ性が求められる。
【００９６】
本開示では、例えば反射型の体積型ホログラムとされた第１の画像Ｄ１と、例えば透過型の体積型ホログラムとされた第２の画像Ｄ２とが重ねてホログラム記録層１ａに記録されている。すなわち、本開示では、反射型のホログラムと、透過型のホログラムが混在している。
【００９７】
そのため、本開示の画像表示体を原版としてコンタクトコピーの手法を適用したとしても、一方向からのレーザ光の照射のみでは、反射型または透過型の体積型ホログラムのいずれかしか複製されない。すなわち、本開示にかかる画像表示体から、第１の画像Ｄ１および第２の画像Ｄ２を一工程でコピーすることは困難である。したがって、本開示によれば、本開示の画像表示体を原版とする不正なコンタクトコピーを防止することができる。
【００９８】
［１−５．クレジットカードへの応用例］
図９Ａは、面内の一部に本開示の実施形態にかかる画像表示体が配置されたクレジットカードの構成例を示す平面図である。図９Ｂは、図９ＡのXXXI−XXXI断面を模式的に示す図である。
【００９９】
図９Ａ〜図９Ｃに示すように、例えば、クレジットカードなどのカード類やパスポートなどの面内の一部に、画像表示体１を組み込むこともできる。
【０１００】
図９Ａおよび図９Ｂに示すように、例えば、クレジットカード５は、樹脂材料などからなる基体７の一部に、ホログラム記録層１ａを備えている。このとき、ホログラム記録層１ａの裏側には、図９Ｂに示すように、ルーバーＬＶｃが配置される。ホログラム記録層１ａの裏側にルーバーＬＶｃが配置されることにより、ホログラム記録層１ａの第２の主面Ｐ２への入射光が制限される。そのため、ホログラム記録層１ａからの第２の画像Ｄ２の意図しない再生が防止され、通常の使用状態においては、図９Ａに示すように、クレジットカード５の所有者は、ホログラム記録層１ａから再生された第１の画像Ｄ１を観察することになる。
【０１０１】
ルーバーＬＶｃは、あらかじめ設定しておいた角度方向からの入射光を選択的に通過させる。そこで、ホログラム記録層１ａの第２の主面に対して、あらかじめ設定しておいた角度方向からホログラム記録層１ａを照明することにより、ホログラム記録層１ａから第２の画像Ｄ２を再生させることができる。例えば、専用の光源を備える読取装置にクレジットカード５をかざしたりすることで、ホログラム記録層１ａに記録されている第２の画像Ｄ２を再生させることができる。
【０１０２】
図９Ｃは、画像表示体に記録された情報の読取装置の一例を示す概略図である。図９Ｃでは、カード挿入用のスロットＳＬ、光源１５および撮像素子１７を備える読取装置１３の構成例を示している。
【０１０３】
光源１５は、例えば、発光ダイオード（light-emitting diode（ＬＥＤ））またはレーザ光源であり、撮像素子１７は、例えば、ＣＣＤ（Charge Coupled Device）やＣＭＯＳ（Complementary Metal-Oxide Semiconductor）などの光学素子である。光源１５および撮像素子１７のそれぞれは、スロットへのクレジットカード５の挿入時において、ホログラム記録層１ａに対する照明およびホログラム記録層１ａから再生された情報の読み取りに適した配置とされる。
【０１０４】
図９Ｃに示すように、読取装置１３の内部において、ホログラム記録層１ａが光源１５により照明されることで、ホログラム記録層１ａから第２の画像Ｄ２が再生され、第２の画像Ｄ２に関する情報が撮像素子１７により撮像される。光学式文字認識（Optical Character Recognition（ＯＣＲ））などを利用すれば、ホログラム記録層１ａに記録された情報と、クレジットカード５の本体に電磁的方法などにより記録された情報との照合による真贋判定を行うことも可能である。
【０１０５】
また、例えば、いわゆるトレーディングカードや、ゲームに使用するカードにホログラム記録層１ａを組み込んでおけば、これらの商品価値を高めることもできる。
【０１０６】
［１−６．入場券への応用例］
図１０Ａは、面内の一部に本開示の実施形態にかかる画像表示体が配置された入場券の構成例を示す平面図である。図１０Ｂは、図１０ＡのXXXIV−XXXIV断面を模式的に示す図である。図１０Ｃは、図１０Ａに示す入場券のホログラム記録層から第２の画像を再生させた状態を示す平面図である。
【０１０７】
図１０Ａ〜図１０Ｃに示すように、例えば、遊園地やコンサート会場などへの入場券の面内の一部に、画像表示体１を組み込むこともできる。
【０１０８】
図１０Ａおよび図１０Ｂに示すように、入場券９は、例えば、紙や樹脂材料などからなる基体１１の一部に、ホログラム記録層１ａを備えている。このとき、ホログラム記録層１ａの裏側には、図１０Ｂに示すように、ルーバーＬＶｔが配置される。そのため、通常時においては、図１０Ａに示すように、ホログラム記録層１ａからは、第１の画像Ｄ１として主催者のロゴなどの絵柄が再生される。
【０１０９】
ルーバーＬＶｔは、あらかじめ設定しておいた角度方向からの入射光は通過させる。そのため、遊園地やコンサート会場などの係員は、例えば、専用の光源を備える読取装置に入場券９をかざしたりすることで、ホログラム記録層１ａに記録されている第２の画像Ｄ２を再生させることができる。
【０１１０】
図１０Ｃでは、ホログラム記録層１ａに第２の画像Ｄ２として座席番号が記録された構成例を示している。したがって、例えば、ホログラム記録層１ａから再生される座席番号と、入場券９の券面に印字された座席番号とを照合することで、入場券９が真正なものであるかどうかを判定することが可能である。このように、例えば、ホログラム記録層１ａから再生される情報と、入場券の券面に印字された情報との照合を可能とすることにより、入場券の不正なコピーを困難とすることができる。
【０１１１】
＜２．第２の実施形態＞
［２−１．画像表示ユニットの概略的構成］
図１１Ａは、本開示の実施形態にかかる画像表示ユニットを備えるスマートフォンの例を示す斜視図である。図１１Ｂは、図１１Ａに破線で示すＺ部を拡大して示す平面図である。図１１Ｃは、図１１ＢのXXXVIII−XXXVIII断面を模式的に示す図である。図１２Ａ〜図１２Ｃは、画像表示ユニットの他の構成例の断面を模式的に示す図である。
【０１１２】
図１１Ａおよび図１１Ｂに示すように、スマートフォン（smartphone）２０は、窓部２３の設けられた筺体２５を備え、窓部２３には、ホログラム記録層１ａが配置されている。ホログラム記録層１ａの単体にかえ、上述した実施形態にかかる画像表示体１が窓部２３に配置されてももちろんかまわない。
【０１１３】
また、筺体２５には、ユーザの情報の入力を受けつけるとともに、処理の結果をユーザに対して表示する表示部２２が配置されている。すなわち、スマートフォン２０の表示部２２は、いわゆるタッチパネルとして構成されている。
【０１１４】
スマートフォン２０に対するユーザからの入力は、筺体２５の内部に配置された制御部２８により処理される。制御部２８は、例えば、デジタルシグナルプロセッサ（Digital Signal Processor（ＤＳＰ））やＣＰＵ（Central Processing Unit）として構成される。
【０１１５】
図１１Ｃに示すように、スマートフォン２０の筺体２５の内部には、ホログラム記録層１ａの第２の主面Ｐ２に対して、あらかじめ定められた角度方向からホログラム記録層１ａを照明する照明源２７が配置されている。窓部２３を備える筺体２５と、照明源２７とから、画像表示ユニット２１が構成される。
【０１１６】
ホログラム記録層１ａに記録された第１の画像Ｄ１は、室内照明などのもとにおいて、画像表示ユニット２１の観察者に観察される。一方、通常、筺体２５の内部には外部からの光が届かないため、そのままでは、ホログラム記録層１ａに記録された第２の画像Ｄ２を視認することはできない。ホログラム記録層１ａに記録された第２の画像Ｄ２は、照明源２７により第２の主面Ｐ２の側から照明されたときに、第１の主面Ｐ１の側に再生される。
【０１１７】
第２の実施形態では、窓部２３に対する、筺体２５の内部の照明源２７の配置を調整することにより、ホログラム記録層１ａと、照明源２７との相対位置関係を、第２の画像Ｄ２の再生に適した位置関係とすることができる。
【０１１８】
（２−１−１．ホログラム記録層）
窓部２３に配置されるホログラム記録層１ａは、第１の実施形態と同様の構成とすることができる。
【０１１９】
ホログラム記録層１ａは、例えば、図１１Ｃに示すように、窓部２３の一部に組み込まれる。図１１Ｃでは、ホログラム記録層１ａが、透明性を有する被覆材２９に被覆される構成例を示している。
【０１２０】
ホログラム記録層１ａの配置された窓部２３は、例えば、いわゆるインサート成形の手法により形成することができる。インサート成形とは、埋め込みの対象を金型の内側にあらかじめ配置しておき、埋め込みの対象を溶融樹脂で包み込むことにより、樹脂と埋め込みの対象とが一体化された複合材を得る手法である。なお、図１１Ｃでは、筺体２５の内部に第２の主面Ｐ２が露出する構成例を示したが、ホログラム記録層１ａの全体が、被覆材２９に被覆されていてもよい。
【０１２１】
ホログラム記録層１ａを被覆する被覆材２９としては、樹脂材料を挙げることができる。樹脂材料としては、例えば、ポリプロピレン、ポリエチレン、アクリロニトリル−ブタジエン−スチレン共重合体（ＡＢＳ樹脂）、ＰＣ／ＡＢＳアロイ（ポリカーボネートとＡＢＳ樹脂のポリマアロイ）、ポリエチレンテレフタレート、ポリカーボネート、シクロオレフィンポリマ、ポリエーテルスルフォン、ポリエチレンナフタレート、トリアセチルセルロース、熱可塑性ポリイミド、ポリメタクリル酸メチル、アラミドなどを挙げることができる。
【０１２２】
（２−１−２．照明源）
筺体２５の内部に配置される照明源２７は、ホログラム記録層１ａを第２の主面Ｐ２の側から照明し、第１の主面Ｐ１の側に第２の画像Ｄ２を再生させるための光源である。すなわち、筺体２５に配置された照明源２７が点灯されることにより、ホログラム記録層１ａで回折された光Ｌｐｄが筺体２５の外部に出射され、第２の画像Ｄ２が、画像表示ユニット２１の観察者に観察される。
【０１２３】
ホログラム記録層１ａからの多重像の再生を防止する観点から、照明源２７は、点光源であることが好ましい。なお、波長選択性の点では、透過型の体積型ホログラムよりも反射型の体積型ホログラムの方が有利であることが知られている。例えば、透過型の体積型ホログラムを白色光により再生させると、色分散が大きく、再生像がぼやけてしまう。そのため、照明源２７としては、波長幅の小さく調整された発光ダイオードまたはレーザ光源が選択されることが好ましい。
【０１２４】
上述したように、照明源２７は、ホログラム記録層１ａの第２の主面Ｐ２に対して、あらかじめ定められた角度方向からホログラム記録層１ａを照明する。あらかじめ定められた角度方向とは、例えば、ホログラム記録層１ａと、照明源２７との相対位置関係が、ホログラム記録層１ａと、第２の画像Ｄ２の複製時における照明光Ｌｍｐｉの光源との相対位置関係に略等しくされた角度方向である。すなわち、例えば、ホログラム記録層１ａに対する、照明源２７からの照明光Ｌｐｉの入射角φｉが、ホログラム記録層１ａに対する、第２の画像Ｄ２の複製時における照明光Ｌｍｐｉの入射角ζｉに略等しいことが好ましい。このように、ホログラム記録層１ａと、照明源２７との相対位置関係を、第２の画像Ｄ２の再生に適した位置関係とすることにより、ホログラム記録層１ａに記録された第２の画像Ｄ２を、第１の主面Ｐ１の側に確実に再生させることができる。
【０１２５】
ここで、ホログラム記録層１ａに対する、照明源２７からの照明光Ｌｐｉの入射角φｉが１８０°に近いと、照明源２７から出射された照明光Ｌｐｉが、ホログラム記録層１ａを介して、画像表示ユニット２１の観察者の目に入ってしまうことになる。
【０１２６】
そのため、図１２Ａに示すように、例えば、第２の主面Ｐ２の側に、窓部２３と隣接してルーバーＬＶｗが配置されることが好ましい。ルーバーＬＶｗは、ホログラム記録層１ａの第２の主面Ｐ２に対して、あらかじめ定められた角度方向から照射される光を通過させる。すなわち、ルーバーＬＶｗは、照明源２７から出射された照明光Ｌｐｉを選択的に通過させる。
【０１２７】
第２の主面Ｐ２の側に、窓部２３と隣接してルーバーＬＶｗを配置することにより、筺体２５の内部に配置された照明源２７の存在に気づかれにくくすることができる。また、ホログラム記録層１ａに記録された第１の画像Ｄ１の背景を黒色とすることができ、室内照明などのもとにおいて第１の主面Ｐ１の側に再生される第１の画像Ｄ１のコントラストを向上させることができる。
【０１２８】
または、図１２Ｂに示すように、例えば、第２の主面Ｐ２の側に、窓部２３と隣接して光学シートＯＳが配置されることが好ましい。光学シートＯＳとしては、例えば、一主面上に複数の凹凸形状が形成されたプリズムシートや、ホログラフィック回折素子を挙げることができる。
【０１２９】
第２の主面Ｐ２の側に、窓部２３と隣接して光学シートＯＳが配置されることにより、照明光が屈折または回折され、照明源２７が点灯されたときであっても、照明源２７からの照明光Ｌｐｉが画像表示ユニット２１の観察者の目に直接届いてしまうおそれが低減される。さらに、筺体２５内部における照明源２７の配置の自由度が増し、画像表示ユニット２１を薄型化することができる。
【０１３０】
なお、図１１Ａ〜図１１Ｃならびに図１２Ａおよび図１２Ｂでは、ホログラム記録層１ａの配置された窓部２３が筺体２５の一部を構成する例を示したが、画像表示ユニット２１の例は、上述した例に限られない。
【０１３１】
例えば、図１２Ｃに示すように、筺体２６に設けられた開口部ＡＰをふさぐようにして、背面が透明とされたホログラムシール１Ｓが筺体２６に貼りつけられることにより、窓部２４が形成されてもよい。図１２Ｃに示す構成例では、窓部２４を備える筺体２６と、照明源２７とから、画像表示ユニット２２が構成されている。図１２Ｃに示すホログラムシール１Ｓは、例えば、粘着剤からなる粘着層１ｄ、基材層１ｂ、ホログラム記録層１ａおよび保護層１ｃの積層体である。
【０１３２】
［２−２．エッジリットホログラムを適用した例］
反射型のホログラムおよび透過型のホログラムのほかに、エッジリット（Edge-lit）型と呼ばれるホログラムが知られている。エッジリット型のホログラムは、白色光により画像を再生させた場合であっても、透過型のホログラムと比較して色再現性に優れる。
【０１３３】
また、エッジリット型のホログラムにおいては、ホログラム記録層に接合された光学ブロックを介してホログラム記録層に照明光を入射させるため、光学ブロックのない場合と比較して、入射面に対する照明光の入射角を大きくすることができる。すなわち、エッジリットの方式を採用することにより、画像表示ユニットにおける、照明源とホログラム記録層の第２の主面との間の距離を小とすることができ、画像表示ユニットを薄型化することができる。
【０１３４】
図１３Ａは、第１の画像が反射型の体積型ホログラムとして記録され、第２の画像がエッジリット型の体積型ホログラムとして記録された画像表示体を備える画像表示ユニットの構成例の断面を模式的に示す図である。図１３Ａは、図１１ＢのXXXVIII−XXXVIII断面に相当する図である。図１３Ｂは、図１３Ａに示す画像表示ユニットのうち、画像表示体のみを取りだして示す図である。
【０１３５】
図１３Ｂに示すように、画像表示体３は、ホログラム記録層１ｅと、光学ブロックＯＢとを備えている。図１３Ａおよび図１３Ｂに示すように、ホログラム記録層１ｅは、ホログラム記録層１ａと同様に、第１の主面Ｐ１および第２の主面Ｐ２を有している。図１３Ａおよび図１３Ｂに示すように、光学ブロックＯＢは、ホログラム記録層１ｅとの界面を有するとともに、照明源２７からの照明光が導入される側面ＯＢ１を備える。
【０１３６】
ホログラム記録層１ｅには、ホログラム記録層１ａと同様に、第１の主面Ｐ１の側からの照明のもとにおいて、第１の主面Ｐ１の側に再生される第１の画像Ｄ１が記録されている。第１の画像Ｄ１は、反射型の体積型ホログラムとしてホログラム記録層１ｅに記録されている。一方、第２の画像Ｄ２は、エッジリット型の体積型ホログラムとしてホログラム記録層１ｅに記録されており、光学ブロックＯＢの側面ＯＢ１から照明されたときに、第１の主面Ｐ１の側に再生される。
【０１３７】
［２−３．画像表示体の製造方法の一例］
次に、画像表示体３の製造方法の一例について説明する。なお、生産性を考慮して、この製造方法の一部または全部のプロセスをロールツーロール（Roll to Roll）により行うようにしてもよい。
【０１３８】
第１の画像Ｄ１および第２の画像Ｄ２をホログラム記録層１ｅに記録するために、まず、例えば、反射型ホログラム原版ＭＲおよびエッジリット型ホログラム原版ＭＥを用意する。反射型ホログラム原版ＭＲに記録されたホログラム画像と、エッジリット型ホログラム原版ＭＥに記録されたホログラム画像とをホログラム記録層１ｅに複製することにより、第１の画像Ｄ１および第２の画像Ｄ２をホログラム記録層１ｅに記録することができる。
【０１３９】
反射型ホログラム原版ＭＲは、反射型のホログラムとして第１の画像Ｄ１が記録された原版である。反射型ホログラム原版ＭＲの製作方法は、第１の実施形態の場合と同様である。したがって、以下では、まず、エッジリット型ホログラム原版ＭＥの製作方法について説明する。
【０１４０】
図１４Ａは、エッジリット型ホログラム原版に対する、第２の画像の記録時における物体光および参照光の関係を説明するための略線図である。図１４Ｂは、エッジリット型ホログラム原版からの第２の画像の再生時における照明光および再生光の関係を説明するための略線図である。
【０１４１】
図１４Ａおよび図１４Ｂに示すエッジリット型ホログラム原版ＭＥは、例えば、透明基材層、ホログラム記録層および透明保護層の積層体とされる。
【０１４２】
図１４Ａおよび図１４Ｂに示す光学ブロックＯＢｍは、例えば、直方体形状に形成されたガラスや透明樹脂基板などであり、光学ブロックＯＢｍとしては、画像表示体３の光学ブロックＯＢと光学的に等価な光学体が選ばれる。光学ブロックＯＢｍは、側面ＯＢｍ１およびＯＢｍ２を備えるとともに、光学ブロックＯＢｍの一主面上には、エッジリット型ホログラム原版ＭＥが被着される。なお、例えば、光学ブロックＯＢｍの一主面と、エッジリット型ホログラム原版ＭＥの透明保護層とが対向させられ、したがって、エッジリット型ホログラム原版ＭＥの透明基材層の一主面は、外部に露出している。
【０１４３】
エッジリット型ホログラム原版ＭＥへの第２の画像Ｄ２の記録は、以下のようにして行われる。図１４Ａに示すように、エッジリット型ホログラム原版ＭＥにおける、光学ブロックＯＢｍに被着された方の主面の側から物体光Ｌｍｅｏを入射させるとともに、光学ブロックの側面ＯＢｍ１から、参照光Ｌｍｅｒを入射させる。
【０１４４】
すると、物体光Ｌｍｅｏと参照光Ｌｍｅｒとの干渉パターンがエッジリット型ホログラム原版ＭＥのホログラム記録層に記録される。なお、エッジリット型ホログラム原版ＭＥに対する物体光Ｌｍｅｏの入射角および参照光Ｌｍｅｒの入射角は、それぞれ−ηｏおよびηｒであったとする。
【０１４５】
第２の画像Ｄ２の記録後のエッジリット型ホログラム原版ＭＥに対して、例えば、参照光Ｌｍｅｒと等価な照明光Ｌｍｅｉを、入射角ηｉ＝ηｒなる角度方向から入射させたとする。すると、図１４Ｂに示すように、−ηｄ＝−ηｏなる角度方向に回折光（再生光）Ｌｍｅｄが出射される。すなわち、エッジリットホログラム原版ＭＥは、第２の画像Ｄ２の記録されたエッジリット型のホログラムとなる。
【０１４６】
次に、エッジリットホログラム原版ＭＥのホログラム記録層に対する第２の画像Ｄ２の記録の完了の後、光学ブロックＯＢｍからエッジリットホログラム原版ＭＥを一旦剥離する。
【０１４７】
図１４Ｃおよび図１４Ｄは、画像表示体のホログラム記録層に対する、第１の画像の複製方法の一例を説明するための略線図である。ホログラム記録層１ｅに対する、第１の画像Ｄ１の複製に際しては、図１４Ｃおよび図１４Ｄに示すように、例えば、コピー用光学ブロックの一主面上に反射型ホログラム原版ＭＲが被着される。コピー用光学ブロックは、例えば、直方体形状に形成されたガラスや透明樹脂基板などであり、以下では、コピー用光学ブロックとして、図１４Ａおよび図１４Ｂに示す光学ブロックＯＢｍを使用するものとして説明する。
【０１４８】
図１４Ｃに示すように、コピー用光学ブロックＯＢｍにおける、原版ＭＲが被着されない側の主面上には、ホログラム記録層１ｅが被着される。このとき、ホログラム記録層１ｅの第２の主面Ｐ２の側が、コピー用光学ブロックＯＢｍと密着させられる。
【０１４９】
ホログラム記録層１ｅに対する、第１の画像Ｄ１の複製においては、図１４Ｄに示すように、ホログラム記録層１ｅおよびコピー用光学ブロックＯＢｍを介して、反射型ホログラム原版ＭＲに対して照明光Ｌｍｒｉが照射される。
【０１５０】
反射型ホログラム原版ＭＲに対して照明光Ｌｍｒｉが入射することにより、図４Ｂおよび図４Ｃを参照して説明したように、反射型ホログラム原版ＭＲに記録されている第１の画像Ｄ１が、反射型の体積型ホログラムとしてホログラム記録層１ｅに複製される。
【０１５１】
図１５Ａおよび図１５Ｂは、画像表示体のホログラム記録層に対する、第２の画像の複製方法の一例を説明するための略線図である。図１５Ａおよび図１５Ｂに示すように、ホログラム記録層１ｅに対する、第２の画像Ｄ２の複製に際しては、ホログラム記録層１ｅに対して、エッジリット型ホログラム原版ＭＥがさらに被着される。必要に応じて、ホログラム記録層１ｅとエッジリット型ホログラム原版ＭＥとの間にインデックスマッチング液が介在される。このとき、ホログラム記録層１ｅの一主面と、エッジリット型ホログラム原版ＭＥの透明保護層とが対向させられ、したがって、エッジリット型ホログラム原版ＭＥの透明基材層が、外部に露出している。
【０１５２】
図１５Ｂに示すように、コピー用光学ブロックＯＢｍの側面ＯＢｍ２から、エッジリット型ホログラム原版ＭＥに対して照明光Ｌｍｅｉが照射される。図１５Ｂに示すように、照明光Ｌｍｅｉは、コピー用光学ブロックＯＢｍおよびホログラム記録層１ｅを介して、エッジリット型ホログラム原版ＭＥに照射される。
【０１５３】
図１５Ｃは、コピー用光学ブロック、エッジリット型ホログラム原版およびホログラム記録層のみを図１５Ｂから抜き出して示す略線図である。
【０１５４】
コピー用光学ブロックＯＢｍおよびホログラム記録層１ｅを介して、エッジリット型ホログラム原版ＭＥに照射された照明光Ｌｍｅｉの一部は、図１５Ｃに示すように、エッジリット型ホログラム原版ＭＥの内部を透過する。エッジリット型ホログラム原版ＭＥに入射した照明光Ｌｍｅｉの一部は、エッジリット型ホログラム原版ＭＥの透明基材層と空気との界面で全反射する。エッジリット型ホログラム原版ＭＥの透明基材層と空気との界面で全反射された光は、ホログラム記録層１ｅに入射する。
【０１５５】
すると、エッジリット型ホログラム原版ＭＥからは、ホログラム記録層１ｅに向けて回折光Ｌｍｅｄが出射されることとなり、回折光Ｌｍｅｄと全反射された光との干渉パターンが、ホログラム記録層１ｅに記録される。すなわち、エッジリット型ホログラム原版ＭＥに記録されている第２の画像Ｄ２が、エッジリット型のホログラムとしてホログラム記録層１ｅに複製される。
【０１５６】
ホログラム記録層１ｅへの第１の画像Ｄ１の複製および第２の画像Ｄ２の複製が終了すると、コピー用光学ブロックＯＢｍからホログラム記録層１ｅが剥離され、必要に応じて、ホログラム記録層１ｅに後処理が施される。
【０１５７】
図１５Ｄは、第１の画像および第２の画像の複製のなされた画像表示体の一例を示す略線図である。コピー用光学ブロックＯＢｍと光学的に等価な光学ブロックＯＢにホログラム記録層１ｅを貼りあわせることにより、第１の画像Ｄ１が反射型の体積型ホログラムとして記録され、第２の画像Ｄ２がエッジリット型の体積型ホログラムとして記録された画像表示体３を得ることができる。
【０１５８】
図１６Ａおよび図１６Ｂは、画像表示体のホログラム記録層に対する、第１の画像および第２の画像の複製方法の他の例を説明するための略線図である。
【０１５９】
例えば、図１６Ａに示すように、コピー用光学ブロックＯＢｍの一主面上に、エッジリット型ホログラム原版ＭＥとホログラム記録層１ｅとが、この順に積層されてもよい。このように、コピー用光学ブロックＯＢｍの一主面上に、エッジリット型ホログラム原版ＭＥを接合しておくことにより、画像表示体３の製造プロセスを単純化することが可能である。
【０１６０】
または、例えば、図１６Ｂに示すように、コピー用光学ブロックＯＢｍの一主面上に、反射型ホログラム原版ＭＲ、エッジリット型ホログラム原版ＭＥおよびホログラム記録層１ｅが、この順に積層されてもよい。
【０１６１】
第２の画像Ｄ２の複製においては、ホログラム記録層１ｅの露光面積が大きくなるに伴い、コピー用光学ブロックＯＢｍを厚くする必要が生じる。すると、コピー用光学ブロックＯＢｍが厚くなることに伴い、反射型ホログラム原版ＭＲとホログラム記録層１ｅとの間の距離が広がってしまう。反射型ホログラム原版ＭＲとホログラム記録層１ｅとの間の距離が広がってしまうと、反射型ホログラム原版ＭＲからホログラム記録層１ｅに複製された第１の画像Ｄ１の画像の視野角や解像度などに対して、好ましくない影響が生じるおそれがある。
【０１６２】
そこで、図１６Ｂに示すように、コピー用光学ブロックＯＢｍの一主面上に、反射型ホログラム原版ＭＲ、エッジリット型ホログラム原版ＭＥおよびホログラム記録層１ｅをこの順に積層しておくことにより、第１の画像Ｄ１の画像の劣化を低減することができる。
【０１６３】
［２−４．画像表示ユニットにおける再生像の切り替えの例］
図１６Ｃは、第１の主面の側からの照明のもとにおいて、本開示の実施形態にかかる画像表示ユニットから観察されるホログラム画像の一例を示す平面図である。図１６Ｄは、照明源が点灯されたときに、本開示の実施形態にかかる画像表示ユニットから観察されるホログラム画像の一例を示す平面図である。
【０１６４】
上述したように、本開示の実施形態にかかる画像表示ユニットは、第１の主面Ｐ１の側からの照明のもとにおいて、第１の主面Ｐ１の側に再生される第１の画像Ｄ１の記録されたホログラム記録層を備えている。したがって、図１６Ｃに示すように、スマートフォン２０のユーザは、例えば、室内照明などのもとにおいては、ホログラム記録層１ａから再生された第１の画像Ｄ１を観察することになる。
【０１６５】
一方、第２の画像Ｄ２は、筺体２５の内部に配置された照明源２７からの照明光が第２の主面Ｐ２の側からホログラム記録層１ａに入射したときに、はじめて再生される。言い換えれば、筺体２５の内部に配置された照明源２７が点灯されない限り、第２の画像Ｄ２は、スマートフォン２０のユーザに観察されない。
【０１６６】
筺体２５の内部に配置された照明源２７が点灯されると、図１６Ｄに示すように、ホログラム記録層１ａから第２の画像Ｄ２が再生される。図１６Ｄでは、例えば、スマートフォン２０の製造者のロゴが表示される構成例を示している。
【０１６７】
例えば、筺体２５の内部に配置された照明源２７は、画像表示ユニット２１に対して何らかのアクションが加えられたときに点灯するように構成することができる。例えば、キーボードやタッチパネルなどのインターフェースから、ある特定のコマンドが入力された場合にのみ画像表示ユニットの照明源が点灯するようにしてもよい。
【０１６８】
例えば、ユーザからによる、ある特定のコマンドの入力があったときに、制御部２８が、照明源２７の点灯および消灯の少なくともいずれかを制御するようにしてもよい。この場合、コマンドの入力の有無により、第２の画像Ｄ２の再生が選択的に切り替えられることになる。
【０１６９】
［２−５．コピープロテクションの効果］
次に、第２の実施形態にかかる画像表示ユニットのコピープロテクションの効果について説明する。
【０１７０】
図１１Ａ〜図１１Ｃに示すように、画像表示ユニットにおける、ホログラム記録層１ａの配置された窓部２３は、筺体２５の一部を構成している。したがって、例えば、ホログラム記録層１ａを原版として不正なコンタクトコピーを試みるには、画像表示ユニット２１を備える製品を分解または破壊しなければならない。また、たとえ分解または破壊により画像表示ユニット２１からホログラム記録層１ａを取りだしたとしても、ホログラム記録層１ａには第１の画像Ｄ１および第２の画像Ｄ２が記録されているため、第１の画像Ｄ１および第２の画像Ｄ２を一工程でコピーすることが困難である。すなわち、ホログラム記録層１ａに記録された画像の複製を困難なものとすることにより、不正なコンタクトコピーの抑止効果が期待できる。
【０１７１】
さらに、第２の実施形態では、通常の状態においては、画像表示ユニットからは第１の画像Ｄ１しか観察されない。したがって、例えば、画像表示ユニット２１における、ホログラム記録層１ａに第２の画像Ｄ２が記録されていることを秘匿しておけば、ホログラム記録層１ａを原版として不正なコンタクトコピーを行う者は、第１の画像Ｄ１のみを複製することになる。そうすると、第２の画像Ｄ２が再生されるか否かを確認することで、画像表示ユニット２１を備える製品の真贋判定が可能となる。
【０１７２】
すなわち、画像表示ユニットにおける、ホログラム記録層に第２の画像Ｄ２が記録されていることを秘匿しておくことにより、紙幣などに採用されている“透かし”と同様の効果を画像表示ユニットに付与することができる。第２の画像Ｄ２を、シリアル番号などの識別情報としておけば、画像表示ユニットによる真贋判定機能や偽造防止機能をさらに向上させることができる。
【０１７３】
このように、第２の画像Ｄ２を、通常の状態においては観察されない態様とすることにより、画像表示ユニットを備える製品に対して、２段以上の偽造防止機能を付与することができる。したがって、本開示によれば、画像表示ユニットを備える製品に対して、より強固なセキュリティ性を付与することができる。
【０１７４】
［２−６．その他の効果］
第２の実施形態では、第２の画像Ｄ２を選択的に再生される画像とすることにより、例えば、画像表示ユニットを備える製品のロゴや製造者のロゴを浮き立たせて表示する効果が得られる。また、第２の画像Ｄ２として、例えば、製品の購入者の名前や顔写真などを記録しておけば、画像表示ユニットを備える製品を、唯一無二（one and only）のコンセプトのもとに提供される商品することもできる。すなわち、本開示によれば、画像表示ユニットを備える製品に付加価値を与えて、画像表示ユニットを備える製品の商品価値をさらに向上させることができる。
【０１７５】
［２−７．画像表示ユニットの第１の応用例］
図１７Ａは、本開示の実施形態にかかる画像表示ユニットを備えるパーソナルコンピュータの例を示す斜視図である。図１７Ｂは、図１７ＡのLVII−LVII断面を模式的に示す図である。
【０１７６】
図１７Ａおよび図１７Ｂに示すように、パーソナルコンピュータ３０は、窓部３３の設けられた筺体３５を備え、窓部３３には、ホログラム記録層１ａが配置されている。図１７Ａでは、表示部３２を備える上部筺体３５ｔと、複数のキーなどが配置された入力部３８を備える下部筺体３５ｂとから筺体３５が構成されたパーソナルコンピュータ３０の例を示している。上部筺体３５ｔと、下部筺体３５ｂとは、例えば、ヒンジにより接続され、下部筺体３５ｂに対して上部筺体３５ｔが開閉自在とされる。
【０１７７】
パーソナルコンピュータ３０の筺体３５の内部には、ホログラム記録層１ａの第２の主面Ｐ２に対して、あらかじめ定められた角度方向からホログラム記録層１ａを照明する照明源３７が配置されている。窓部３３および可動部（上部筺体３５ｔ）を備える筺体３５と、照明源３７とから、画像表示ユニット３１が構成される。
【０１７８】
なお、図１７Ｂでは、ホログラム記録層１ａが、透明性を有する被覆材３９に被覆される構成例を示している。ホログラム記録層１ａにかえ、第１の画像Ｄ１が反射型の体積型ホログラムとして記録され、第２の画像Ｄ２がエッジリット型の体積型ホログラムとして記録された画像表示体が窓部３３に配置されてももちろんかまわない。
【０１７９】
（２−７−１．第１の応用例における再生像の切り替えの例）
図１８Ａは、第１の主面の側からの照明のもとにおいて、画像表示ユニットから観察されるホログラム画像の一例を示す平面図である。図１８Ｂおよび図１８Ｃは、照明源が点灯されたときに、画像表示ユニットから観察されるホログラム画像の一例を示す平面図である。
【０１８０】
画像表示システム３１は、第１の主面Ｐ１の側からの照明のもとにおいて、第１の主面Ｐ１の側に再生される第１の画像Ｄ１の記録されたホログラム記録層１ａを備えている。したがって、図１８Ａに示すように、パーソナルコンピュータ３０のユーザは、例えば、室内照明などのもとにおいては、ホログラム記録層１ａから再生された第１の画像Ｄ１を観察することになる。
【０１８１】
一方、ホログラム記録層１ａに記録された第２の画像Ｄ２は、筺体３５の内部に配置された照明源３７からの照明光が第２の主面Ｐ２の側からホログラム記録層１ａに入射したときに、はじめて再生される。言い換えれば、筺体３５の内部に配置された照明源３７が点灯されない限り、第２の画像Ｄ２は、パーソナルコンピュータ３０のユーザに観察されない。
【０１８２】
なお、画像表示ユニットにおける照明源の個数は、１つに限られない。例えば、図１８Ａ〜図１８Ｃに示すように、複数の照明源３７ａ、３７ｂが、筺体３５の内部に配置されていてもよい。
【０１８３】
このとき、第２の画像Ｄ２として、ホログラム記録層１ａに複数の視差画像を記録しておいてもよい。ホログラム記録層１ａに複数の視差画像を記録しておくことにより、複数の照明源の点灯および消灯の切り替えによって、ホログラム記録層１ａから再生される情報を切り替えて表示させることができる。
【０１８４】
例えば、筺体３５の内部に配置された照明源３７ａが点灯されると、図１８Ｂに示すように、ホログラム記録層１ａから第２の画像Ｄ２ａが再生される。図１８Ｂでは、例えば、パーソナルコンピュータ３０の製造者のロゴが表示される構成例を示している。
【０１８５】
一方、筺体３５の内部に配置された照明源３７ｂが点灯されると、図１８Ｃに示すように、ホログラム記録層１ａから第２の画像Ｄ２ｂが再生される。図１８Ｃでは、例えば、パーソナルコンピュータ３０のシリアル番号である「１２３４」が表示される構成例を示している。
【０１８６】
このように、画像表示ユニットにおける照明源を複数とし、ホログラム記録層に複数の視差画像を記録しておくことにより、個々の照明源の点灯および消灯を切り替えて、ホログラム記録層に記録された情報を個別に再生させることもできる。すなわち、画像表示ユニットにおける照明源を複数とし、ホログラム記録層に複数の視差画像を記録しておくことにより、画像表示ユニットの備えるセキュリティ機能をより向上させることができる。
【０１８７】
上述したように、画像表示ユニット３１の上部筺体３５ｔは、ヒンジなどにより接続された下部筺体３５ｂに対して可動とされる。したがって、例えば、筺体３５の内部に配置された照明源３７の点灯または消灯を、下部筺体３５ｂに対する上部筺体３５ｔの動作と関連づけることもできる。
【０１８８】
例えば、下部筺体３５ｂに対する上部筺体３５ｔの開閉と、筺体３５の内部に配置された照明源３７の点灯とを連動させてもよい。すなわち、例えば、下部筺体３５ｂに対して上部筺体３５ｔが開かれたときに照明源３７が点灯されるとともに、照明源３７の点灯が所定の時間だけ継続されるようにすることができる。この場合、第２の画像Ｄ２は、パーソナルコンピュータ３０の使用の開始から所定の時間だけ、パーソナルコンピュータ３０のユーザに観察される。
【０１８９】
または、例えば、パーソナルコンピュータ３０の電源がオンとされたときに照明源３７が点灯されるとともに、照明源３７の点灯が所定の時間だけ継続されるようにしてもよい。また、例えば、キーボードやタッチパネルなどのインターフェースから、ある特定のコマンドが入力された場合にのみ照明源が点灯するようにしてもよい。
【０１９０】
［２−８．画像表示ユニットの第２の応用例］
図１９Ａは、本開示の実施形態にかかる画像表示ユニットを備える表示装置の例を示す正面図である。図１９Ｂは、図１９Ａに示す表示装置の断面を模式的に示す図である。
【０１９１】
図１９Ａおよび図１９Ｂに示すように、テレビジョン受像機４０は、窓部４３の設けられた筺体４５を備え、窓部４３には、ホログラム記録層１ａが配置されている。また、筺体４５には、表示部４２が配置されている。窓部４３を備える筺体４５と、後述する照明源４７と、表示部４２とから、画像表示ユニット４１が構成される。
【０１９２】
窓部４３に配置されるホログラム記録層１ａは、例えば、第１の実施形態と同様の構成とすることができる。なお、図１９Ｂでは、ホログラム記録層１ａが、透明性を有する被覆材４９に被覆される構成例を示している。ホログラム記録層１ａにかえ、第１の画像Ｄ１が反射型の体積型ホログラムとして記録され、第２の画像Ｄ２がエッジリット型の体積型ホログラムとして記録された画像表示体が窓部に配置されてももちろんかまわない。
【０１９３】
図１９Ｂに示すように、表示部４２は、例えば、カラーフィルタＣＦと、表示素子４６と、拡散板ＤＢと、導光板ＧＢと、反射板ＲＢと、光源４８とから構成される。表示素子４６は、例えば、２枚の偏光板の間に液晶層を備える液晶表示素子である。なお、図１９Ｂにおいては、表示素子４６の駆動回路などの図示を省略した。
【０１９４】
テレビジョン受像機４０のユーザは、表示素子４６を介して、光源４８から発せられた光を受けとる。なお、図１９Ａおよび図１９Ｂでは、表示部４２が液晶ディスプレイ（Liquid Crystal Display（ＬＣＤ））であるものとして説明しているが、表示部４２が有機ＥＬ(Electroluminescence:電界発光効果)ディスプレイである場合には、テレビジョン受像機４０のユーザは、有機ＥＬ素子から発せられた光を受けとることになる。
【０１９５】
光源４８は、例えば、ＬＥＤや冷陰極管である。表示部４２が有機ＥＬディスプレイである場合には、光源４８は有機ＥＬ素子である。
【０１９６】
光源４８から発せられた光の一部は、例えば、筺体４５の内部に配置されたプリズムＰに入射する。プリズムＰに入射した光は、プリズムＰの内部で反射された後、ホログラム記録層１ａに向けて出射される。すなわち、図１９Ｂに示す構成例では、照明源４７としてのプリズムＰが、ホログラム記録層１ａの第２の主面Ｐ２に対して、あらかじめ定められた角度方向からホログラム記録層１ａを照明することになる。
【０１９７】
このように、照明源４７から出射される光が、筺体４５の内部に配置された光源４８から導光されている。図１９Ｂでは、照明源４７から出射される光が、導光板ＧＢおよびプリズムＰにより光源４８から導光される構成例を示したが、例えば、照明源４７から出射される光が、光ファイバなどにより光源４８から導光されてもよい。
【０１９８】
（２−８−１．第２の応用例における再生像の切り替えの例）
上述したように、照明源４７から出射される光が、筺体４５の内部に配置された光源４８から導光されている。したがって、表示素子４６の駆動時（テレビジョン受像機４０のオン時）には、第２の主面Ｐ２の側からホログラム記録層１ａが照明されることとなり、ホログラム記録層１ａからは、第２の画像Ｄ２が再生されることとなる。一方、テレビジョン受像機４０がオフとされると、ホログラム記録層１ａが第２の主面Ｐ２の側から照明されなくなるため、テレビジョン受像機４０のユーザは、ホログラム記録層１ａから再生された第１の画像Ｄ１を観察することになる。
【０１９９】
なお、ホログラム記録層１ａと、照明源４７との間に、光の通過または遮断を制御するシャッタを設けておけば、テレビジョン受像機４０のユーザが、ある特定の操作を行ったときにのみ、第２の画像Ｄ２が再生されるようにすることもできる。例えば、リモートコントローラやタッチパネルなどのインターフェースから、テレビジョン受像機のユーザがある特定のコマンドを入力した場合にのみ、第２の画像Ｄ２が再生されるようにしてもよい。
【０２００】
＜３．第３の実施形態＞
［３−１．梱包材料の概略的構成］
図２０Ａは、本開示の実施形態にかかる梱包材料の開封前の状態を示す斜視図である。図２０Ｂは、本開示の実施形態にかかる梱包材料の開封後の状態を示す斜視図である。
【０２０１】
図２０Ａおよび図２０Ｂに示すように、医薬品などを収納するための包装箱５１は、ホログラム記録層１ａの配置された窓部５３と、遮光部５５とを備えている。窓部５３に配置されるホログラム記録層１ａは、例えば、第１の実施形態と同様の構成とすることができる。窓部５３は、例えば、包装箱５５の蓋に設けられる。
【０２０２】
室内照明などのもとにおいては、ホログラム記録層１ａに記録された第１の画像Ｄ１が包装箱５１の観察者に観察される。一方、ホログラム記録層１ａに記録された第２の画像Ｄ２は、ホログラム記録層１ａが第２の主面Ｐ２の側から照明されなければ、ホログラム記録層１ａから再生されない。言い換えれば、包装箱５１を扱う者は、包装箱５１を開封しなければ、ホログラム記録層１ａに記録された第２の画像Ｄ２を観察できない。
【０２０３】
このように、ホログラム記録層１ａに記録された第２の画像Ｄ２を観察するには、包装箱５１を開封し、窓部５３の背面の側からホログラム記録層１ａを照明しなければならない。したがって、第３の実施形態によれば、梱包材料に対して、いわゆるタンパーエビデント（tamper-evident）の機能を付与することができる。
【０２０４】
さらに、第２の画像Ｄ２を、ホログラム記録層１ａから再生させてはじめて取得できる識別情報とすることもできる。このとき、例えば、包装箱５１の内容物の製造者のホームページのうちの特定のサイトへのアクセスが、取得した識別情報を用いることによりはじめて可能となるようにしておくこともできる。したがって、例えば、真正な商品を購入した者が、インターネットなどのネットワークを介して、包装箱５１の内容物の製造者の提供するサービスを受ける権利を取得するといったことも可能となる。
【０２０５】
なお、ホログラム記録層１ａの第２の主面Ｐ２に対して、あらかじめ定められた角度方向からホログラム記録層１ａを照明する照明源を備える再生装置を用意しておけば、ホログラム記録層１ａから、第２の画像Ｄ２を容易に再生させることが可能である。
【０２０６】
図２０Ｃおよび図２０Ｄは、本開示の実施形態にかかる梱包材料の他の一例を示す正面図である。図２０Ｃおよび図２０Ｄは、本開示の実施形態にかかる梱包材料として構成された、ワインのエティケット（etiquette）を示す例である。
【０２０７】
図２０Ｃおよび図２０Ｄに示すように、エティケット６１は、ホログラム記録層１ａの配置された窓部６３と、遮光部６５とを備えている。
【０２０８】
図２０Ｃに示すように、ワインの開封前においては、エティケット６１からは、ワインの製造者のロゴマークなどの絵柄が、第１の画像Ｄ１としてワインの所有者に観察される。
【０２０９】
一方、例えば、ワインの開封後においては、図２０Ｄに示すように、瓶からエティケット６１を剥離して、窓部６３の背面の側からホログラム記録層１ａを照明し、ホログラム記録層１ａから第２の画像Ｄ２を再生させることができる。言い換えれば、ワインの開封前においては、瓶からエティケット６１を剥離しない限り、窓部６３の背面の側からホログラム記録層１ａを照明することができない。すなわち、ワインの所有者は、ホログラム記録層１ａから再生された第２の画像Ｄ２を確認することにより、入手したワインが真正なものであるかどうかを判定することができる。
【０２１０】
＜４．変形例＞
以上、好適な実施形態について説明してきたが、好適な具体例は、上述した例に限定されるものではなく、各種の変形が可能である。
【０２１１】
例えば、付加情報として、シリアル番号や一次元バーコード、二次元バーコード、製造者名、ロット番号などの識別情報以外の画像情報を記録することもできる。
【０２１２】
本開示の画像表示体は、クレジットカードや入場券のほか、例えば、非接触ＩＣ（integrated circuit）カードやＩＤ（identification）カード、銀行カード、社員証、学生証、定期券、運転免許証、外国旅券、ビザ、証券、通帳、印紙、切手、貨幣、金券、証書、商品券、絵画、切符、公共競技投票券、宝くじなどにも適用が可能である。
【０２１３】
上述した第２の実施形態では、画像表示ユニットを備えるスマートフォンの例を示したが、本開示の画像表示ユニットは、この例に限られない。本開示の画像表示ユニットは、例えば、携帯電話や電子書籍、オーディオプレーヤ、ラップトップ型パーソナルコンピュータ、タブレット型パーソナルコンピュータ、携帯情報端末（personal digital assistance（ＰＤＡ））、電子辞書、電子手帳など、各種の電子機器に適用が可能である。
【０２１４】
画像表示ユニットの第１の応用例として、本開示の実施形態にかかる画像表示ユニットを備えるパーソナルコンピュータの例を示したが、本開示の画像表示ユニットは、この例に限られない。筺体が可動部を備えるものであれば、本開示の技術を各種の電子機器に適用可能である。例えば、折り畳み式やスライド式のスマートフォンまたは携帯電話などにも本開示の技術の適用が可能である。
【０２１５】
画像表示ユニットの第２の応用例として、本開示の実施形態にかかる画像表示ユニットを備える表示装置の例を示したが、本開示の表示装置は、この例に限られない。光源を備える表示部を備えるものであれば、本開示の技術を各種の電子機器に適用可能である。例えば、スマートフォンや携帯電話、電子書籍、オーディオプレーヤ、パーソナルコンピュータ、ＰＤＡ、電子辞書、電子手帳などにも本開示の技術の適用が可能である。また、本開示の技術は、可搬性のある表示装置だけでなく、建築物に設置されたデジタルサイネージなどにも適用が可能である。
【０２１６】
上述した第３の実施形態では、医薬品などを収納するための包装箱またはワインのエティケットとして構成された梱包材料の例を示したが、本開示の梱包材料は、この例に限られない。例えば、ワインなどのぶどう酒に限らず、蒸留酒、日本酒などのラベルや食品の容器、商品の包装などにも本開示の技術の適用が可能である。または、例えば、インサート成形の手法を適用して、ホログラム記録層を透明樹脂材料で包み込み、「Ｂｌｕ‐ｒａｙ  Ｄｉｓｃ（ブルーレイ  ディスク  アソシエーションの登録商標）」やＤＶＤ（Digital Versatile Disc）、ＣＤ（compact disc）などのケースを成形してもよい。さらに、例えば、遊技機などの機器改造禁止箇所の封印、重要書類の封印などを目的として本開示の技術を適用することもできる。
【０２１７】
なお、上述の実施形態において挙げた構成、方法、形状、工程、材料および数値などはあくまでも例に過ぎず、必要に応じてこれと異なる構成、方法、形状、工程、材料および数値などを用いてもよい。上述の実施形態の構成、方法、形状、工程、材料および数値などは、本開示の主旨を逸脱しない限り、互いに組み合わせることが可能である。
【０２１８】
例えば、本開示は以下のような構成もとることができる。
（１）
第１の主面および第２の主面を有するとともに、少なくとも第１の画像および第２の画像の記録されたホログラム記録層を備え、
前記第１の主面の側からの照明のもとにおいて、前記第１の画像が前記第１の主面の側に再生され、
前記第２の主面の側から照明されたときに、前記第１の画像の再生される領域との重なりを有する領域において、前記第２の画像が前記第１の主面の側に再生される画像表示体。
（２）
前記第１の画像が、反射型の体積ホログラムとして記録された画像であり、
前記第２の画像が、透過型の体積ホログラムとして記録された画像である（１）に記載の画像表示体。
（３）
前記第１の画像および前記第２の画像の少なくとも一方が、第１の識別情報に関する画像である（１）または（２）に記載の画像表示体。
（４）
前記第１の画像の再生波長と、前記第２の画像の再生波長とが、相異なる（１）〜（３）のいずれか１項に記載の画像表示体。
（５）
前記第１の画像および前記第２の画像の少なくとも一方が、視点の移動方向に連続した視差をもって再生される視差画像である（１）〜（４）のいずれか１項に記載の画像表示体。
（６）
前記第１の画像が、前記第１の主面にたてた法線に対して第１の方向に沿って視点を動かしたときに、前記第１の方向に視差をもって再生され、
前記第２の画像が、前記第１の主面にたてた法線に対して第２の方向に沿って視点を動かしたときに、前記第２の方向に視差をもって再生される（５）に記載の画像表示体。
（７）
前記ホログラム記録層に第２の識別情報がさらに記録された（３）〜（６）のいずれか１項に記載の画像表示体。
（８）
前記ホログラム記録層が、前記第１の画像の記録された第１のホログラム記録層および前記第２の画像の記録された第２のホログラム記録層を含む（１）〜（７）のいずれか１項に記載の画像表示体。
（９）
ルーバーをさらに備え、
前記ルーバーが、前記第２の主面の側に配置される（１）〜（８）のいずれか１項に記載の画像表示体。
（１０）
第１の主面および第２の主面を有するとともに、少なくとも第１の画像および第２の画像の記録されたホログラム記録層と、
前記ホログラム記録層との界面を有するとともに、側面を備える光学ブロックと
を備え、
前記第１の主面の側からの照明のもとにおいて、前記第１の画像が前記第１の主面の側に再生され、
前記側面から照明されたときに、前記第１の画像の再生される領域との重なりを有する領域において、前記第２の画像が前記第１の主面の側に再生される画像表示体。
（１１）
被覆材をさらに備え、
前記ホログラム記録層の少なくとも一部が、被覆材により被覆される（１）〜（１０）のいずれか１項に記載の画像表示体。
（１２）
第１の主面および第２の主面を有するとともに、少なくとも第１の画像および第２の画像の記録されたホログラム記録層の配置された窓部と、
遮光部と
を備え、
前記第１の主面の側からの照明のもとにおいて、前記第１の画像が前記第１の主面の側に再生され、
前記窓部が前記第２の主面の側から照明されたときに、前記第１の画像の再生される領域との重なりを有する領域において、前記第２の画像が前記第１の主面の側に再生される梱包材料。
（１３）
第１の主面および第２の主面を有するとともに、少なくとも第１の画像および第２の画像の記録されたホログラム記録層の配置された窓部を備える筺体と、
前記筺体の内部に配置され、前記第２の主面に対して、あらかじめ定められた角度方向から前記ホログラム記録層を照明する照明源と
を備え、
前記第１の主面の側からの照明のもとにおいて、前記第１の画像が前記第１の主面の側に再生され、
前記ホログラム記録層が前記第２の主面の側から照明されたときに、前記第１の画像の再生される領域との重なりを有する領域において、前記第２の画像が前記第１の主面の側に再生される画像表示ユニット。
（１４）
制御部をさらに備え、
前記照明源の点灯および消灯の少なくともいずれかが、前記制御部に対する、あらかじめ定められた指令信号の入力により実行される（１３）に記載の画像表示ユニット。
（１５）
前記筺体が、可動部をさらに備え、
前記照明源の点灯および消灯の少なくともいずれかが、前記可動部の動作と関連づけられる（１３）に記載の画像表示ユニット。
（１６）
光源を備える表示部をさらに備え、
前記照明源から出射される光が、前記光源から導光される（１３）に記載の画像表示ユニット。
（１７）
前記照明源が、発光ダイオードである（１３）ないし（１６）のいずれか１項に記載の画像表示ユニット。
【符号の説明】
【０２１９】
１，２，３・・・画像表示体
１ａ，１ｅ・・・ホログラム記録層
２１，３１，４１・・・画像表示ユニット
２３，３３，４３，５３，６３・・・窓部
２５，３５，４５・・・筺体
２２，３２，４２・・・表示部
２７，３７，４７・・・照明源
２８・・・制御部
２９，３９，４９・・・被覆材
４８・・・光源
５１・・・包装箱
５５，６５・・・遮光部
６１・・・エティケット
Ｐ１・・・第１の主面
Ｐ２・・・第２の主面
Ｄ１・・・第１の画像
Ｄ２・・・第２の画像
ＭＲ・・・反射型ホログラム原版
ＭＰ・・・透過型ホログラム原版
ＭＥ・・・エッジリット型ホログラム原版
ＬＶｍ，ＬＶｃ，ＬＶｔ，ＬＶｗ・・・ルーバー
ＯＢ・・・光学ブロック
【図１】
2013164524.tif 000003
【図２】
2013164524.tif 000004
【図３】
2013164524.tif 000005
【図４】
2013164524.tif 000006
【図５】
2013164524.tif 000007
【図６】
2013164524.tif 000008
【図７】
2013164524.tif 000009
【図８】
2013164524.tif 000010
【図９】
2013164524.tif 000011
【図１０】
2013164524.tif 000012
【図１１】
2013164524.tif 000013
【図１２】
2013164524.tif 000014
【図１３】
2013164524.tif 000015
【図１４】
2013164524.tif 000016
【図１５】
2013164524.tif 000017
【図１６】
2013164524.tif 000018
【図１７】
2013164524.tif 000019
【図１８】
2013164524.tif 000020
【図１９】
2013164524.tif 000021
【図２０】
2013164524.tif 000022